(57)【特許請求の範囲】
【請求項１】
共有されるベースバンド・プロセッサを使用して２つの内の１つの帯域幅を介して情報を送信するための方法であって、前記方法は：
第１のクロック周波数（ｌ  ｘ  Ｆ１）および第２のクロック周波数（ｋ  ｘ  Ｆ１）を含むグループからクロック・サンプリング周波数を選択することと、ここで、ｋ＞ｌである；
前記選択されたクロック周波数に従って、ベースバンド信号をデジタル情報から生成することと、ここにおいて、前記第１のクロック周波数が選択された場合に、前記デジタル情報は、無線アクセス・ポイントと互換性をもつ第１のフォーマットであり、前記第２のクロック周波数が選択された場合に、前記デジタル情報は、無線ピア・デバイスと互換性をもつ第２のフォーマットである；
前記生成されたベースバンド信号に応じた無線周波数（ＲＦ）モジュールを用いて、前記選択されたクロック周波数に応答する帯域幅およびデータ転送速度を有する無線周波数（ＲＦ）信号に前記ベースバンド信号を変換することと、ここにおいて、前記第１のクロック周波数が選択された場合に、前記ＲＦ信号は、無線アクセス・ポイントを含む通信のためのものであり、前記第２のクロック周波数が選択された場合に、前記ＲＦ信号は、無線ピア・デバイスとの通信のためのものでる；
を含む。
【請求項２】
前記ベースバンド信号を生成することは：
前記第１のクロック周波数を選択することに応じて第１のデータ転送速度を有する第１のベースバンド信号の生成することと；
前記第２のクロック周波数を選択することに応じて前記第１のデータ転送速度より大きい第２のデータ転送速度を有する第２のベースバンド信号を生成することと；
を含む、請求項１に記載の方法。
【請求項３】
前記ベースバンド信号をＲＦ信号に変換することは：
前記第１のベースバンド信号に応じて、約１３．５から１３５メガビット／秒（Ｍｂｐｓ）および約６．５から６５Ｍｂｐｓからなるグループから選択された範囲内のデータ転送速度で第１のＲＦ信号を生成することと；
前記第２のベースバンド信号に応じて、約５３．３から４８０Ｍｂｐｓの範囲内のデータ転送速度で第２のＲＦ信号を生成することと；
を含む、請求項２に記載の方法。
【請求項４】
前記ベースバンド信号をＲＦ信号に変換することは：
約２０メガヘルツ（ＭＨｚ）および約４０ＭＨｚからなるグループから選択された帯域幅で第１のＲＦ信号を生成することと；
約５００ＭＨｚの帯域幅または帯域幅の中心周波数の約２０％のうちの小さいほうよりも大きい帯域幅で第２のＲＦ信号を生成することと；
を含む、請求項２に記載の方法。
【請求項５】
前記ベースバンド信号をＲＦ信号に変換することは：
前記第１のベースバンド信号に応じて、約０．３１２５メガヘルツ（ＭＨｚ）の副搬送波間隔で第１のＲＦ信号を生成することと；
前記第２のベースバンド信号に応じて、約０．３１２５  ｘ  ｋ／ｌ  ＭＨｚの副搬送波間隔で第２のＲＦ信号を生成することと；
を含む、請求項２に記載の方法。
【請求項６】
前記第１のベースバンド信号を生成することは、独立した基本サービス・セット（ＩＢＳＳ）および構造基盤ＢＳＳのフォーマットからなるグループから選択されたメディア・アクセス制御（ＭＡＣ）フォーマットのデジタル情報を受理することに応じて前記第１のベースバンド信号を生成することを含み； 
前記第２のベースバンド信号を生成することは、前記ＩＢＳＳフォーマットのデジタル情報を受理することに応じて前記第２のベースバンド信号を生成することを含む；
請求項２に記載の方法。
【請求項７】
前記ベースバンド信号を生成することは：
デジタル情報を受理することと；
選択されたクロック周波数で前記デジタル情報を符号化することと；
選択されたクロック周波数で前記符号化されたデジタル情報をインターリーブすることと；
選択されたクロック周波数で前記インターリーブされたデジタル情報に対して逆の高速フーリエ変換（ＩＦＦＴ）演算を実行することと；
選択されたクロック周波数で前記ＩＦＦＴ演算の結果をアナログ・ベースバンド信号に変換することと；
を含む、請求項１に記載の方法。
【請求項８】
前記クロック周波数を選択することは、前記第１のクロックが、ｌ  ｘ  Ｆ１の周波数を有することと、ここで、ｌは、１および２からなるグループから選択され、Ｆ１は、約２０ＭＨｚおよび約４０ＭＨｚからなるグループから選択され、前記第２のクロックが、前記第１のクロック周波数のｋ倍と等しい周波数を有することと、
を含む、請求項１に記載の方法。
【請求項９】
前記ベースバンド信号を生成することは、前記第１のクロック周波数でｎ個のベースバンド信号として第１のベースバンド信号を生成することを含み；
前記ベースバンド信号を前記ＲＦ信号に変換することは、ｎ個のアンテナを通じて放射されるｎ個のＲＦ信号に前記ｎ個のベースバンド信号を変換することを含み、各ＲＦ信号は、前記第１のクロック周波数に応答するデータ転送速度を有する；
前記ベースバンド信号を生成することは、前記第１のクロック周波数でｎ個のベースバンド信号として第２のベースバンド信号を生成することを含み；
前記ベースバンド信号を前記ＲＦ信号に変換することは、前記第１のクロック周波数よりｎ倍高い、前記第２のクロック周波数に応答するデータ転送速度で単一のアンテナを通じて放射される単一のマルチプレックスされたＲＦ信号に、マルチプレックスされた第２のベースバンド信号を変換することを含む；
請求項１に記載の方法。
【請求項１０】
前記ベースバンド信号を生成することは：
前記第１のクロック周波数を選択することに応じて複数の副搬送波周波数を有する第１のベースバンド信号の生成することと；
前記第２のクロック周波数に応じて前記複数の副搬送波周波数を有する第２のベースバンド信号を生成することと；
を含む請求項１に記載の方法。
【請求項１１】
共有されるベースバンド・プロセッサを使用して２つの内の１つの帯域幅を介して情報を送信するためのシステムであって、前記システムは：
周波数選択信号を受理するための入力および第１のクロック周波数（ｌ  ｘ  Ｆ１）および第２のクロック周波数（ｋ  ｘ  Ｆ１）を含むグループから選択されるクロック・サンプリング周波数を供給するための出力を有するクロックと、ここで、ｋ＞ｌである；
デジタル情報を受理するための入力および選択されたクロック周波数を受理するための入力を有するベースバンド・プロセッサと、なお、前記ベースバンド・プロセッサは、前記選択されたクロック周波数に従って、前記デジタル情報を処理し、ベースバンド信号を供給する、ここにおいて、前記第１のクロック周波数が選択された場合に、前記デジタル情報は、無線アクセス・ポイントと互換性をもつ第１のフォーマットであり、前記第２のクロック周波数が選択された場合に、前記デジタル情報は、無線ピア・デバイスと互換性をもつ第２のフォーマットである； 
前記ベースバンド信号を受理するための入力を有する無線周波数（ＲＦ）モジュールと、なお、前記ＲＦモジュールは、前記供給されたベースバンド信号に応じたＲＦモジュールを使用し、かつ、選択されたクロック周波数に応答する帯域幅およびデータ転送速度を有する、前記ベースバンド信号から変換されたＲＦ信号を供給する、ここにおいて、前記第１のクロック周波数が選択された場合に、前記ＲＦ信号は、無線アクセス・ポイントを含む通信のためのものであり、前記第２のクロック周波数が選択された場合に、前記ＲＦ信号は、無線ピア・デバイスとの通信のためのものでる；
を含む。
【請求項１２】
前記ベースバンド・プロセッサは、前記第１のクロック周波数を受理することに応じて第１のデータ転送速度を有する第１のベースバンド信号、および前記第２のクロック周波数を受理することに応じて、前記第１のデータ転送速度より大きい、第２のデータ転送速度を有する第２のベースバンド信号を生成する、
請求項１１に記載のシステム。
【請求項１３】
前記ＲＦモジュールは：
前記第１のベースバンド信号に応じて、約１３．５から１３５メガビット／秒（Ｍｂｐｓ）および約６．５から６５Ｍｂｐｓをからなるグループから選択されたデータ転送速度の範囲で第１のＲＦ信号を生成するための第１のＲＦデバイスと；
前記第２のベースバンド信号に応じて約５３．３から４８０Ｍｂｐｓの範囲内のデータ転送速度で第２のＲＦ信号を生成するための第２のＲＦデバイスと；
を含む、請求項１２に記載のシステム。
【請求項１４】
前記ＲＦモジュールは：
約２０メガヘルツ（ＭＨｚ）および約４０ＭＨｚからなるグループから選択された帯域幅で第１のＲＦ信号を生成するための第１のＲＦデバイスと；
約５００ＭＨｚの帯域幅または帯域幅の中心周波数の約２０％のうちの小さいほうよりも大きい帯域幅で第２のＲＦ信号を生成するための第２のＲＦデバイスと；
を含む、請求項１２に記載のシステム。
【請求項１５】
前記ＲＦモジュールは：
前記第１のベースバンド信号に応じて約０．３１２５ＭＨｚの副搬送波間隔で第１のＲＦ信号を生成するための第１のＲＦデバイスと；
前記第２のベースバンド信号に応じて約０．３１２５  ｘ  ｋ／ｌ  ＭＨｚの副搬送波間隔で第２のＲＦ信号を生成するための第２のＲＦデバイスと；
を含む、請求項１２に記載のシステム。
【請求項１６】
前記ベースバンド・プロセッサは、独立した基本サービス・セット（ＩＢＳＳ）ネットワーク・フォーマットおよび構造基盤ＢＳＳ・ＭＡＣフォーマットからなるグループから選択されたメディア・アクセス制御（ＭＡＣ）フォーマットのデジタル情報を受理することに応じて前記第１のベースバンド信号を生成し、前記ＩＢＳＳ・ＭＡＣフォーマットのデジタル情報を受理することに応じて前記第２のベースバンド信号を生成することを含む、
請求項１２に記載のシステム。
【請求項１７】
前記ベースバンド・プロセッサは：
デジタル情報を受理するための入力、前記周波数領域の符号化されたデジタル情報を供給するための出力、および選択されたクロック周波数を受理するための入力を有するエンコーダと；
前記符号化されたデジタル情報を受理するための入力、前記ＩＦＦＴに前記周波数領域のインターリーブされた情報を供給するための出力、および選択されたクロック周波数を受理するための入力を有するインターリーバと；
前記周波数領域の情報を受理するための入力、および選択されたクロック周波数を受理するための入力を有する逆高速フーリエ変換（ＩＦＦＴ）ブロックと、なお、前記ＩＦＦＴブロックは、前記入力情報に対してＩＦＦＴ演算を実行し、出力で時間領域信号を供給する；
を含み、 
そして、前記システムは：
前記ＩＦＦＴブロックからの前記信号を受理するための入力、アナログ・ベースバンド信号を供給するための出力、および選択されたクロック周波数を受理するための入力を有するデジタル・アナログ変換器（ＤＡＣ）、
を更に含む、請求項１１に記載のシステム。
【請求項１８】
前記クロックは、ｌ  ｘ  Ｆ１の第１のクロック周波数と、ここで、ｌは、１および２からなるグループから選択され、Ｆ１は、約２０ＭＨｚおよび約４０ＭＨｚからなるグループから選択され、前記第１のクロック周波数のｋ倍と等しい第２のクロック周波数とを選択的に供給する、
請求項１１に記載のシステム。
【請求項１９】
前記ベースバンド・プロセッサは、前記第１のクロック周波数でｎ個のベースバンド信号として第１のベースバンド信号を生成し；
前記ＲＦモジュールは、前記ｎ個のベースバンド信号をｎ個のＲＦ信号に変換するためのｎ個のＲＦデバイスを含む、なお、各ＲＦ信号は、前記第１のクロック周波数に応答するデータ転送速度を有し；
そして、前記システムは：
前記ｎ個のＲＦ信号を放射するために前記ｎ個のＲＦデバイスの出力に接続されたｎ個アンテナを更に具備する、
請求項１１に記載のシステム。
【請求項２０】
前記ベースバンド・プロセッサは、前記第１のクロック周波数で生成されるｎ個のベースバンド信号として第２のベースバンド信号を供給し；
前記ＲＦモジュールは、前記第１のクロック周波数よりｎ倍高い、前記第２のクロック周波数に応答するデータ転送速度を有する単一のマルチプレックスされたＲＦ信号に、マルチプレックスされた第２のベースバンド信号を変換し；
そして、前記システムは：
前記単一のマルチプレックスされたＲＦ信号を放射するために前記ＲＦモジュールに接続される単一のアンテナをさらに含む、
請求項１９に記載のシステム。
【請求項２１】
前記ベースバンド・プロセッサは、前記第１のクロック周波数を受理することに応じて複数の副搬送波周波数を有する第１のベースバンド信号、および前記第２のクロック周波数を受理することに応じて前記複数の副搬送波周波数を有する第２のベースバンド信号を生成する、
請求項１１に記載のシステム。
【請求項２２】
共有されるベースバンド・プロセッサを使用して２つの内の１つの帯域幅を介して情報を受信するための方法であって、
前記方法は：
選択されたクロック周波数に応答する帯域幅およびデータ転送速度を有する無線周波数（ＲＦ）信号を受理することと；
前記受理されたＲＦ信号に応じた無線周波数（ＲＦ）デバイスを用いて前記ＲＦ信号をベースバンド信号に変換することと；
第１のクロック周波数（ｌ  ｘ  Ｆ１）および第２のクロック周波数（ｋ  ｘ  Ｆ１）を含むグループからクロック・サンプリング周波数を選択することと、ここで、ｋ＞ｌである、ここにおいて、前記第１のクロック周波数が選択された場合に、前記ＲＦ信号は、無線アクセス・ポイントを含む通信のためのものであり、前記第２のクロック周波数が選択された場合に、前記ＲＦ信号は、無線ピア・デバイスとの通信のためのものでる；
前記選択されたクロック・サンプリング周波数に従って、前記ベースバンド信号を処理することと；
前記処理されたベースバンド信号からデジタル情報を生成することと、ここにおいて、前記第１のクロック周波数が選択された場合に、前記デジタル情報は、無線アクセス・ポイントと互換性をもつ第１のフォーマットであり、前記第２のクロック周波数が選択された場合に、前記デジタル情報は、無線ピア・デバイスと互換性をもつ第２のフォーマットである、
を含む。
【請求項２３】
前記ベースバンド信号を処理することは：
前記第１のクロック周波数を選択することに応じて第１のデータ転送速度を有する第１のベースバンド信号を処理することと；
前記第２のクロック周波数を選択することに応じて、前記第１のデータ転送速度より大きい、第２のデータ転送速度を有する第２のベースバンド信号を処理することと；
を含む請求項２２に記載の方法。
【請求項２４】
前記ＲＦ信号を受理することは：
約１３．５から１３５メガビット／秒（Ｍｂｐｓ）および約６．５から６５Ｍｂｐｓからなるグループから選択される範囲内のデータ転送速度で第１のＲＦ信号を受理することと；
約５３．３から４８０Ｍｂｐｓの範囲内のデータ転送速度で第２のＲＦ信号を受理することと；
を含む、
なお、前記ＲＦ信号を前記ベースバンド信号に変換することは：
前記第１のＲＦ信号を前記第１のベースバンド信号に変換することと；
前記第２のＲＦ信号を前記第２のベースバンド信号に変換することと；
を含む請求項２３に記載の方法。
【請求項２５】
前記ＲＦ信号を受理することは：
約２０メガヘルツ（ＭＨｚ）および約４０ＭＨｚからなるグループから選択される帯域幅で第１のＲＦ信号を受理することと；
約５００ＭＨｚの帯域幅または帯域幅の中心周波数の約２０％のうちの小さいほうよりも大きい帯域幅で第２のＲＦ信号を受理することと；
を含む、
なお、前記ＲＦ信号を前記ベースバンド信号に変換することは：
前記第１のＲＦ信号を前記第１のベースバンド信号に変換することと；
前記第２のＲＦ信号を前記第２のベースバンド信号に変換することと；
を含む請求項２３に記載の方法。
【請求項２６】
前記ＲＦ信号を受理することは：
約０．３１２５メガヘルツ（ＭＨｚ）の副搬送波間隔で第１のＲＦ信号の受理することと；
約０．３１２５  ｘ  ｋ／ｌ  ＭＨｚの副搬送波間隔で第２のＲＦ信号を受理することと；
を含む、
なお、前記ＲＦ信号を前記ベースバンド信号に変換することは：
前記第１のＲＦ信号を前記第１のベースバンド信号に変換することと；
前記第２のＲＦ信号を前記第２のベースバンド信号に変換することと；
を含む請求項２３に記載の方法。
【請求項２７】
デジタル情報を生成することは：
前記第１のベースバンド信号を処理することに応じて、構造基盤基本サービス・セット（ＢＳＳ）フォーマットおよび独立したＢＳＳ（ＩＢＳＳ）フォーマットからなるグループから選択されたメディア・アクセス制御（ＭＡＣ）フォーマットのデジタル情報を生成することと；
前記第２のベースバンド信号を処理することに応じてＩＢＳＳフォーマットのデジタル情報を生成することと；
を含む請求項２３に記載の方法。
【請求項２８】
前記ベースバンド信号を処理することは：
選択されたクロック周波数でアナログ・ベースバンド信号をデジタル信号に変換することと；
選択されたクロック周波数での前記デジタル信号に対して高速フーリエ変換（ＦＦＴ）を実行することと；
選択されたクロック周波数で変換されたデジタル情報をデインターリーブすることと；
選択されたクロック周波数で前記デインターリーブされたデジタル情報を復号することと；
を含む請求項２２に記載の方法。
【請求項２９】
前記クロック周波数を選択することは、
前記第１のクロックが、ｌ  ｘ  Ｆ１の周波数を有することと、ここで、ｌは、１および２からなるグループから選択され、Ｆ１は、約２０ＭＨｚおよび約４０ＭＨｚをからなるグループから選択され、前記第２のクロックが、前記第１のクロック周波数のｋ倍と等しい周波数を有することと、
を含む、請求項２２に記載の方法。
【請求項３０】
前記ＲＦ信号を受理することは、前記第１のクロック周波数よりｎ倍高い、前記第２のクロック周波数に応答するデータ転送速度を有する単一のマルチプレックスされたＲＦ信号を受理することを含み；
前記ＲＦ信号を前記ベースバンド信号に変換することは、前記マルチプレックスされたＲＦ信号をマルチプレックスされた第２のベースバンド信号に変換することを含む；
なお、前記ベースバンド信号を処理することは：
前記マルチプレックスされた第２のベースバンド信号からｎ個のベースバンド信号を生成することと；
第１のクロック周波数で前記ｎ個のベースバンド信号の各々を処理することと；
を含む請求項２２に記載の方法。
【請求項３１】
前記ＲＦ信号を受理することは、ｎ個のＲＦ信号を受理することを含む、なお、各ＲＦ信号は、前記第１のクロック周波数に応答するデータ転送速度を有し；
前記ＲＦ信号を前記ベースバンド信号に変換することは、前記ｎ個のＲＦ信号をｎ個のベースバンド信号の第１のベースバンド信号に変換することを含み；
前記ベースバンド信号を処理することは、前記第１のクロック周波数で前記ｎ個のベースバンド信号の各々を処理することを含む；
請求項３０に記載の方法。
【請求項３２】
前記ベースバンド信号を処理することは、
前記第１のクロック周波数を選択することに応じて複数の副搬送波周波数を有する第１のベースバンド信号を処理することと；
前記第２のクロック周波数を選択することに応じて前記複数の副搬送波周波数を有する第２のベースバンド信号を処理することと；
を含む請求項２２に記載の方法。
【請求項３３】
共有されるベースバンド・プロセッサを使用して２つの内の１つの帯域幅を介して情報を受信するためのシステムであって、
前記システムは：
選択されたクロック周波数に応答する帯域幅およびデータ転送速度を有するＲＦ信号を受理するための入力、および前記ＲＦ信号から変換された、ベースバンド信号を供給するための出力を有する無線周波数（ＲＦ）モジュールと、ここで、前記ＲＦモジュールは、受理された前記ＲＦ信号に応じたＲＦモジュールを用いて、前記ベースバンド信号を供給する；
周波数選択信号を受理するための入力、および第１のクロック周波数（ｌ  ｘ  Ｆ１）および第２のクロック周波数（ｋ  ｘ  Ｆ１）を含むグループから選択されたクロック・サンプリング周波数を供給するための出力を有するクロックと、ここで、ｋ＞ｌである、ここにおいて、前記第１のクロック周波数が選択された場合に、前記ＲＦ信号は、無線アクセス・ポイントを含む通信のためのものであり、前記第２のクロック周波数が選択された場合に、前記ＲＦ信号は、無線ピア・デバイスとの通信のためのものでる；
前記ベースバンド信号を受理するための入力、および選択されたクロック周波数を受理するための入力を有するベースバンド・プロセッサと、なお、前記ベースバンド・プロセッサは、前記選択されたクロック周波数に従って、前記ベースバンド信号を処理し、前記処理されたベースバンド信号からデジタル情報を供給する、ここにおいて、前記第１のクロック周波数が選択された場合に、前記デジタル情報は、無線アクセス・ポイントと互換性をもつ第１のフォーマットであり、前記第２のクロック周波数が選択された場合に、前記デジタル情報は、無線ピア・デバイスと互換性をもつ第２のフォーマットである；
を含む。
【請求項３４】
前記ベースバンド・プロセッサは、前記第１のクロック周波数を選択することに応じて第１のデータ転送速度を有する第１のベースバンド信号、および前記第２のクロック周波数を選択することに応じて、前記第１のデータ転送速度より大きい、第２のデータ転送速度を有する第２のベースバンド信号を処理する、
請求項３３に記載のシステム。
【請求項３５】
前記ＲＦモジュールは：
約１３．５から１３５メガビット／秒（Ｍｂｐｓ）および約６．５から６５Ｍｂｐｓからなるグループから選択されたデータ転送速度の範囲で第１のＲＦ信号を受理し、前記第１のベースバンド信号を供給するための第１のＲＦデバイスと；
約５３．３から４８０Ｍｂｐｓの範囲内のデータ転送速度で第２のＲＦ信号を受理し、前記第２のベースバンド信号を供給するための第２のＲＦデバイスと；
を含む請求項３４に記載のシステム。
【請求項３６】
前記ＲＦモジュールは：
約２０メガヘルツ（ＭＨｚ）および約４０ＭＨｚからなるグループから選択された帯域幅で第１のＲＦ信号を受理し、前記第１のベースバンド信号を供給するための第１のＲＦデバイスと；
約５００ＭＨｚの帯域幅または帯域幅の中心周波数の約２０％のうちの小さいほうよりも大きい帯域幅で第２のＲＦ信号を受理し、前記第２のベースバンド信号を供給するための第２のＲＦデバイスと；
を含む請求項３４に記載のシステム。
【請求項３７】
前記ＲＦモジュールは：
約０．３１２５ＭＨｚの副搬送波間隔で第１のＲＦ信号を受理し、前記第１のベースバンド信号を供給するための第１のＲＦデバイスと；
約０．３１２５  ｘ  ｋ／ｌ  ＭＨｚの副搬送波間隔で第２のＲＦ信号を受理し、前記第２のベースバンド信号を供給するための第２のＲＦデバイスと；
を含む請求項３４に記載のシステム。
【請求項３８】
前記ベースバンド・プロセッサは、前記第１のベースバンド信号を処理することに応じて、独立した基本サービス・セット（ＩＢＳＳ）フォーマットおよび構造基盤ＢＳＳフォーマットからなるグループから選択されたメディア・アクセス制御（ＭＡＣ）フォーマットのデジタル情報、および前記第２のベースバンド信号を処理することに応じてＩＢＳＳフォーマットのデジタル情報を生成する、
請求項３４に記載のシステム。
【請求項３９】
前記システムは：
アナログ・ベースバンド信号を受理するための入力、デジタル信号を供給するための出力、および選択されたクロック周波数を受理するための入力を有するアナログ・デジタル変換器（ＡＤＣ）と；
を更に含む、
なお、前記ベースバンド・プロセッサは：
前記デジタル信号を受理するための入力、前記周波数領域のインターリーブされた情報を供給するための出力、および選択されたクロック周波数を受理するための入力を有する高速フーリエ変換（ＦＦＴ）ブロックと；
前記ＦＦＴブロックから前記インターリーブされた情報を受理するための入力、符号化されたデジタル情報を供給するための出力、および選択されたクロック周波数を受理するための入力を有するデインターリーバと；
前記符号化されたデジタル情報を受理するための入力、復号化されたデジタル情報を供給するための出力、および選択されたクロック周波数を受理するための入力を有するデコーダと；
を含む請求項３３に記載のシステム。
【請求項４０】
前記クロックは、ｌ  ｘ  Ｆ１の第１のクロック周波数と、ここで、ｌは、１および２からなるグループから選択され、Ｆ１は、約２０ＭＨｚおよび約４０ＭＨｚからなるグループから選択され、前記第１のクロック周波数のｋ倍と等しい第２のクロック周波数とを選択的に供給する、請求項３３に記載のシステム。
【請求項４１】
前記システムは：
前記第１のクロック周波数よりｎ倍高い、前記第２のクロック周波数に応答するデータ転送速度を有する単一のマルチプレックスされたＲＦ信号を供給するために、前記ＲＦモジュールの入力に接続されるアンテナ；
を更に含む、
なお、前記ＲＦモジュールは、前記マルチプレックスされたＲＦ信号をマルチプレックスされた第２のベースバンド信号に変換する；
前記ベースバンド・プロセッサは、前記マルチプレックスされた第２のベースバンド信号を受理し、ｎ個のベースバンド信号を生成し、前記第１のクロック周波数で前記ｎ個のベースバンド信号の各々を処理する；
請求項３３に記載のシステム。
【請求項４２】
前記システムは：
ｎ個のアンテナ、なお、各アンテナは、前記第１のクロック周波数に応答するデータ転送速度を有する受信されたＲＦ信号を供給する；
を更に含む、
ここで、前記ＲＦモジュールは、ｎ個のＲＦデバイスを含み、なお、各ＲＦデバイスは、対応するアンテナに接続される入力と、ベースバンド信号を供給するための出力を有する； 
前記ベースバンド・プロセッサは、前記ｎ個のベースバンド信号として第１のベースバンド信号を受理し、前記第１のクロック周波数で前記ｎ個のベースバンド信号の各々を処理する、
請求項４１に記載のシステム。
【請求項４３】
前記ベースバンド・プロセッサは、前記第１のクロック周波数を選択することに応じて複数の副搬送波周波数を有する第１のベースバンド信号、および前記第２のクロック周波数を選択すること応じて前記複数の副搬送波周波数を有する第２のベースバンド信号を処理する、
請求項３３に記載のシステム。
【請求項４４】
共有されるベースバンド・プロセッサを使用して２つの内の１つの帯域幅を介して情報を送信するための命令をその上に格納されている機械可読媒体であって、
前記命令は：
第１のクロック周波数（ｌ  ｘ  Ｆ１）および第２のクロック周波数（ｋ  ｘ  Ｆ１）を含むグループからクロック・サンプリング周波数を選択することと、ここで、ｋ＞ｌである；
前記選択されたクロック・サンプリング周波数に従って、ベースバンド信号をデジタル情報から生成することと、ここにおいて、前記第１のクロック周波数が選択された場合に、前記デジタル情報は、無線アクセス・ポイントと互換性をもつ第１のフォーマットであり、前記第２のクロック周波数が選択された場合に、前記デジタル情報は、無線ピア・デバイスと互換性をもつ第２のフォーマットである；
前記生成されたベースバンド信号に応じた無線周波数モジュールを用いて、選択されたクロック周波数に応答する帯域幅およびデータ転送速度を有する無線周波数（ＲＦ）信号に前記ベースバンド信号を変換することと、ここにおいて、前記第１のクロック周波数が選択された場合に、前記ＲＦ信号は、無線アクセス・ポイントを含む通信のためのものであり、前記第２のクロック周波数が選択された場合に、前記ＲＦ信号は、無線ピア・デバイスとの通信のためのものでる；
を含む。
【請求項４５】
前記ベースバンド信号を生成することは：
前記第１のクロック周波数を選択することに応じて第１のデータ転送速度を有する第１のベースバンド信号の生成することと；
前記第２のクロック周波数を選択することに応じて、前記第１のデータ転送速度より大きい第２のデータ転送速度を有する第２のベースバンド信号を生成することと；
を含む請求項４４に記載の機械可読媒体。
【請求項４６】
共有されるベースバンド・プロセッサを使用して２つの内の１つの帯域幅を介して情報を受信するための命令をその上に格納している機械可読媒体であって、
前記命令は：
選択されたクロック周波数に応答する帯域幅およびデータ転送速度を有する無線周波数（ＲＦ）信号を受理することと；
前記受理されたＲＦ信号に応じたＲＦモジュールを用いて、前記ＲＦ信号をベースバンド信号に変換することと；
第１のクロック周波数（ｌ  ｘ  Ｆ１）および第２のクロック周波数（ｋ  ｘ  Ｆ１）を含むグループからクロック・サンプリング周波数を選択することと、ここで、ｋ＞ｌである、ここにおいて、前記第１のクロック周波数が選択された場合に、前記ＲＦ信号は、無線アクセス・ポイントを含む通信のためのものであり、前記第２のクロック周波数が選択された場合に、前記ＲＦ信号は、無線ピア・デバイスとの通信のためのものでる；
前記選択されたクロック・サンプリング周波数に従って、前記ベースバンド信号を処理することと；
前記処理されたベースバンド信号からデジタル情報を生成することと、ここにおいて、前記第１のクロック周波数が選択された場合に、前記デジタル情報は、無線アクセス・ポイントと互換性をもつ第１のフォーマットであり、前記第２のクロック周波数が選択された場合に、前記デジタル情報は、無線ピア・デバイスと互換性をもつ第２のフォーマットである；
を含む。
【請求項４７】
前記ベースバンド信号を処理することは：
前記第１のクロック周波数を選択することに応じて第１のデータ転送速度を有する第１のベースバンド信号を処理することと；
前記第２のクロック周波数を選択することに応じて、前記第１のデータ転送速度より大きい、第２のデータ転送速度を有する第２のベースバンド信号を処理することと；
を含む請求項４６に記載の機械可読媒体。
【請求項４８】
共有されるベースバンド・プロセッサを使用して２つの内の１つの帯域幅を介して情報を送信するための通信デバイスであって、
前記デバイスは：
周波数選択信号を受理するための入力と、第１のクロック周波数（ｌ  ｘ  Ｆ１）および第２のクロック周波数（ｋ  ｘ  Ｆ１）を含むグループから選択されるクロック・サンプリング周波数を供給するための出力とを有するクロックするための手段と、ここで、ｋ＞ｌである；
デジタル情報を受理するための入力、および選択されたクロック周波数を受理するための入力を有するベースバンド処理するための手段と、なお、前記ベースバンド処理するための手段は、前記選択されたクロック周波数に従って、前記デジタル情報を処理し、ベースバンド信号を供給する、ここにおいて、前記第１のクロック周波数が選択された場合に、前記デジタル情報は、無線アクセス・ポイントと互換性をもつ第１のフォーマットであり、前記第２のクロック周波数が選択された場合に、前記デジタル情報は、無線ピア・デバイスと互換性をもつ第２のフォーマットである；
前記ベースバンド信号を受理するための入力を有する無線周波数（ＲＦ）処理するための手段と、なお、前記ＲＦ処理するための手段は、前記ベースバンド信号に応じたＲＦ処理するための手段を用いて、前記ベースバンド信号から変換され、かつ、選択されたクロック周波数に応答する帯域幅およびデータ転送速度を有するＲＦ信号を供給する、ここにおいて、前記第１のクロック周波数が選択された場合に、前記ＲＦ信号は、無線アクセス・ポイントを含む通信のためのものであり、前記第２のクロック周波数が選択された場合に、前記ＲＦ信号は、無線ピア・デバイスとの通信のためのものでる；
を含むデバイス。
【請求項４９】
前記ベースバンド処理手段は、前記第１のクロック周波数を受理することに応じて第１のデータ転送速度を有する第１のベースバンド信号、および前記第２のクロック周波数を受理することに応じて、前記第１のデータ転送速度より大きい、第２のデータ転送速度を有する第２のベースバンド信号を生成する、
請求項４８に記載のデバイス。
【請求項５０】
前記ＲＦ手段は：
前記第１のベースバンド信号に応じて、約１３．５から１３５メガビット／秒（Ｍｂｐｓ）、および約６．５から６５Ｍｂｐｓからなるグループから選択されるデータ転送速度の範囲で第１のＲＦ信号を生成する手段と；
前記第２のベースバンド信号に応じて約５３．３から４８０Ｍｂｐｓの範囲内のデータ転送速度で第２のＲＦ信号を生成するための手段と；
を含む請求項４９に記載のデバイス。
【請求項５１】
前記ＲＦ手段は：
約２０メガヘルツ（ＭＨｚ）および約４０ＭＨｚからなるグループから選択された帯域幅で第１のＲＦ信号を生成するための手段と；
約５００ＭＨｚの帯域幅または帯域幅の中心周波数の約２０％のうちの小さいほうよりも大きい帯域幅で第２のＲＦ信号を生成するための手段と；
を含む請求項４９に記載のデバイス。
【請求項５２】
前記ＲＦ手段は：
前記第１のベースバンド信号に応じて約０．３１２５ＭＨｚの副搬送波間隔で第１のＲＦ信号を生成するための手段と；
前記第２のベースバンド信号に応じて約０．３１２５  ｘ  ｋ／ｌ  ＭＨｚの副搬送波間隔で第２のＲＦ信号を生成するための手段と；
を含む請求項４９に記載のデバイス。
【請求項５３】
前記ベースバンド処理手段は、独立した基本サービス・セット（ＩＢＳＳ）フォーマットおよび構造基盤ＢＳＳ・ＭＡＣフォーマットからなるグループから選択されたメディア・アクセス制御（ＭＡＣ）フォーマットのデジタル情報を受理することに応じて前記第１のベースバンド信号を生成し、前記ＩＢＳＳフォーマットのデジタル情報を受理することに応じて前記第２のベースバンド信号を生成する、
請求項４９に記載のデバイス。
【請求項５４】
前記ベースバンド処理手段は：
デジタル情報を受理するための入力、および選択されたクロック周波数で前記周波数領域の符号化されたデジタル情報を供給するための出力を有する符号化するための手段と；
前記符号化されたデジタル情報を受理するための入力、および選択されたクロック周波数で前記周波数領域のインターリーブされた情報を供給するための出力を有するインターリーブするための手段と；
前記周波数領域の情報を受理するための入力を有する逆フーリエ変換（ＩＦＦＴ）処理するための手段と、なお、前記ＩＦＦＴ手段は、前記入力情報に対してＩＦＦＴ演算を実行し、選択されたクロック周波数で、出力において時間領域信号を供給する；
を含み、
そして、前記デバイスは：
選択されたクロック周波数でアナログ・ベースバンド信号に前記時間領域信号を変換するためのデジタル・アナログ変換するための手段、
を更に含む請求項４９に記載のデバイス。
【請求項５５】
前記クロック手段は、ｌ  ｘ  Ｆ１である第１のクロック周波数と、ここで、ｌは、１と２からなるグループから選択され、Ｆ１は、約２０ＭＨｚおよび約４０ＭＨｚからなるグループから選択され、前記第１のクロック周波数のｋ倍と等しい第２のクロック周波数とを選択的に供給する、
請求項４９に記載のデバイス。
【請求項５６】
前記ベースバンド処理手段は、前記第１のクロック周波数でｎ個のベースバンド信号を生成することによって第２のベースバンド信号を供給し；
前記ＲＦ手段は、前記第１のクロック周波数よりｎ倍高い、前記第２のクロック周波数に応答するデータ転送速度を有する単一のマルチプレックスされたＲＦ信号に、マルチプレックスされた第２のベースバンド信号を変換し；
そして、前記デバイスは：
前記マルチプレックスされたＲＦ信号を放射するための前記ＲＦモジュールの出力に接続された単一の放射手段、
を更に含む請求項４９に記載のデバイス。
【請求項５７】
前記ベースバンド処理手段は、前記第１のクロック周波数でｎ個のベースバンド信号を生成することによって第１のベースバンド信号を供給し；
前記ＲＦ手段は、ｎ個のＲＦ手段を含み、各ＲＦ手段は、対応するベースバンド信号を受理するための入力、および前記第１のクロック周波数に応答するＲＦ信号を供給するための出力を有し；
そして、前記システムは：
ｎ個の放射手段を更に含み、なお、各放射手段は、ｎ個のＲＦ信号を放射するための対応する前記ＲＦ手段の出力と接続される、
請求項５６に記載のデバイス。
【請求項５８】
前記ベースバンド処理手段は、前記第１のクロック周波数を受理することに応じて複数の副搬送波周波数を有する第１のベースバンド信号を生成し、前記第２のクロック周波数を受理することに応じて前記複数の副搬送波周波数を有する第２のベースバンド信号を生成する、
請求項４９に記載のデバイス。
【請求項５９】
共有されるベースバンド・プロセッサを使用して２つの内の１つの帯域幅を介して情報を受信するための通信デバイスであって、
前記デバイスは：
選択されたクロック・サンプリング周波数に応答する帯域幅およびデータ転送速度を有する無線周波数（ＲＦ）信号を受理するための入力、および前記ＲＦ信号から変換されたベースバンド信号を供給するための出力を有するＲＦ処理するための手段と、ここで、前記ＲＦ処理するための手段は、前記受理されたＲＦ信号に応じたＲＦ処理するための手段を用いて、前記ベースバンド信号を供給する；
周波数選択信号を受理するための入力、および第１のクロック周波数（ｌ  ｘ  Ｆ１）および第２のクロック周波数（ｋ  ｘ  Ｆ１）を含むグループから選択されたクロック・サンプリング周波数を供給するための出力を有するクロック手段と、ここで、ｋ＞ｌである、ここにおいて、前記第１のクロック周波数が選択された場合に、前記ＲＦ信号は、無線アクセス・ポイントを含む通信のためのものであり、前記第２のクロック周波数が選択された場合に、前記ＲＦ信号は、無線ピア・デバイスとの通信のためのものでる；
前記ベースバンド信号を受理するための入力、および選択されたクロック周波数を受理するための入力を有するベースバンド処理手段と、なお、前記ベースバンド・プロセッサ手段は、前記選択されたクロック周波数に従って、前記ベースバンド信号を処理し、前記処理されたベースバンド信号からデジタル情報を供給する、ここにおいて、前記第１のクロック周波数が選択された場合に、前記デジタル情報は、無線アクセス・ポイントと互換性をもつ第１のフォーマットであり、前記第２のクロック周波数が選択された場合に、前記デジタル情報は、無線ピア・デバイスと互換性をもつ第２のフォーマットである；
を含むデバイス。
【請求項６０】
前記ベースバンド・プロセッサ手段は、前記第１のクロック周波数を選択することに応じて第１のデータ転送速度を有する第１のベースバンド信号、および前記第２のクロック周波数を選択すること応じて、前記第１のデータ転送速度より大きい第２のデータ転送速度を有する第２のベースバンド信号を処理する、
請求項５９に記載のデバイス。
【請求項６１】
前記ＲＦ手段は：
約１３．５から１３５メガビット／秒（Ｍｂｐｓ）および約６．５から６５Ｍｂｐｓからなるグループから選択されたデータ転送速度の範囲で第１のＲＦ信号を受理し、前記第１のベースバンド信号を供給するための手段と；
約５３．３から４８０Ｍｂｐｓの範囲内のデータ転送速度で第２のＲＦ信号を受理し、前記第２のベースバンド信号を供給するための手段と；
を含む請求項６０に記載のデバイス。
【請求項６２】
前記ＲＦ手段は：
約２０メガヘルツ（ＭＨｚ）および約４０ＭＨｚからなるグループから選択された帯域幅で第１のＲＦ信号を受理し、前記第１のベースバンド信号を供給するための手段と；
約５００ＭＨｚの帯域幅または帯域幅の中心周波数の約２０％のうちの小さいほうよりも大きい帯域幅で第２のＲＦ信号を受理し、前記第２のベースバンド信号を供給するための手段と；
を含む、請求項６０に記載のデバイス。
【請求項６３】
前記ＲＦ手段は：
約０．３１２５ＭＨｚの副搬送波間隔で第１のＲＦ信号を受理し、前記第１のベースバンド信号を供給するための手段と；
約０．３１２５  ｘ  ｋ／ｌ  ＭＨｚの副搬送波間隔で第２のＲＦ信号を受理し、前記第２のベースバンド信号を供給するための手段と；
を含む請求項６０に記載のデバイス。
【請求項６４】
前記ベースバンド・プロセッサ手段は、前記第１のベースバンド信号を処理することに応じて、独立した基本サービス・セット（ＩＢＳＳ）および構造基盤ＢＳＳフォーマットからなるグループから選択されたメディア・アクセス制御（ＭＡＣ）フォーマットでデジタル情報を生成し、前記第２のベースバンド信号を処理することに応じてＩＢＳＳフォーマットでデジタル情報を生成する、
請求項５９に記載のデバイス。
【請求項６５】
前記デバイスは：
アナログ・ベースバンド信号を受理し、選択されたクロック周波数でデジタル信号を供給するために出力するためのアナログ・デジタル手段と；
を更に含む、
なお、前記ベースバンド・プロセッサ手段は：
前記デジタル信号を受理するための入力、および選択されたクロック周波数で前記周波数領域のインターリーブされた情報を供給するための出力を有する、高速フーリエ変換（ＦＦＴ）処理するための手段と；
前記ＦＦＴブロックから前記インターリーブされた情報を受理するための入力、および選択されたクロック周波数で符号化されたデジタル情報を供給するための出力を有するデインターリーブするための手段と；
前記符号化されたデジタル情報を受理するための入力、および選択されたクロック周波数で復号されたデジタル情報を供給するための出力を有する復号するための手段と；
を含む請求項５９に記載のデバイス。
【請求項６６】
前記クロック手段は、ｌ  ｘ  Ｆ１である第１のクロック周波数と、ここで、ｌは、１と２からなるグループから選択され、Ｆ１は、約２０ＭＨｚおよび約４０ＭＨｚからなるグループから選択され、前記第１のクロック周波数のｋ倍に等しい第２のクロック周波数とを選択的に供給する、
請求項５９に記載のデバイス。
【請求項６７】
前記デバイスは：
前記第１のクロック周波数よりｎ倍高い、前記第２のクロック周波数に応答するデータ転送速度を有する、単一の受信された、マルチプレックスされたＲＦ信号を供給するために前記ＲＦ手段の入力と接続される放射手段と；
を更に含む、
なお、前記ＲＦ手段は、前記マルチプレックスされたＲＦ信号をマルチプレックスされた第２のベースバンド信号に変換し；
前記ベースバンド・プロセッサ手段は、前記マルチプレックスされた第２のベースバンド信号を受理し、ｎ個のベースバンド信号を生成し、前記第１の周波数で前記ｎ個のベースバンド信号の各々を処理する；
請求項５９に記載のデバイス。
【請求項６８】
前記デバイスは：
ｎ個の放射手段をさらに含む、なお、前記ｎ個の放射手段の各々は、前記第１のクロック周波数に応答するデータ転送速度を有する受信されたＲＦ信号を供給する；
なお、前記ＲＦ手段は、ｎ個のＲＦ手段を含み、各ＲＦ手段は、対応する放射手段と接続された入力、およびベースバンド信号を供給するための出力を有し；
前記ベースバンド・プロセッサ手段は、ｎ個のベースバンド信号として第１のベースバンド信号を受理し、前記第１のクロック周波数で前記ｎ個のベースバンド信号の各々を処理する；
請求項６７に記載のデバイス。
【請求項６９】
前記ベースバンド・プロセッサ手段は、前記第１のクロック周波数を選択することに応じて複数の副搬送波周波数を有する第１のベースバンド信号を処理し、前記第２のクロック周波数を選択することに応じて前記複数の副搬送波周波数を有する第２のベースバンド信号を処理する、
請求項５９に記載のデバイス。
【請求項７０】
共有されるベースバンド・プロセッサ・モジュールを使用して２つの内の１つの帯域幅を介して情報を送信するための通信処理デバイスであって、
前記処理デバイスは：
周波数選択信号を受理するための入力、および第１のクロック周波数（ｌ  ｘ  Ｆ１）と第２のクロック周波数（ｋ  ｘ  Ｆ１）を含むグループから選択されるクロック・サンプリング周波数を供給するための出力を有するクロック・モジュールと、ここで、ｋ＞ｌである；
デジタル情報を受理するための入力、および選択されたクロック周波数を受理するための入力を有するベースバンド・プロセッサ・モジュールと、なお、前記ベースバンド・プロセッサ・モジュールは、前記選択されたクロック周波数に従って、前記デジタル情報を処理し、ベースバンド信号を供給する、ここにおいて、前記第１のクロック周波数が選択された場合に、前記デジタル情報は、無線アクセス・ポイントと互換性をもつ第１のフォーマットであり、前記第２のクロック周波数が選択された場合に、前記デジタル情報は、無線ピア・デバイスと互換性をもつ第２のフォーマットである；
前記ベースバンド信号を受理するための入力を有する無線周波数（ＲＦ）モジュールと、なお、前記ＲＦモジュールは、前記供給されたベースバンド信号に応じたＲＦモジュールを用いて、前記ベースバンド信号から変換され、かつ、選択されたクロック周波数に応答する帯域幅およびデータ転送速度を有するＲＦ信号を供給する、ここにおいて、前記第１のクロック周波数が選択された場合に、前記ＲＦ信号は、無線アクセス・ポイントを含む通信のためのものであり、前記第２のクロック周波数が選択された場合に、前記ＲＦ信号は、無線ピア・デバイスとの通信のためのものでる；
を含む処理デバイス。
【請求項７１】
前記ベースバンド・プロセッサ・モジュールは、前記第１のクロック周波数を受理することに応じて第１のデータ転送速度を有する第１のベースバンド信号を生成し、前記第２のクロック周波数を受理することに応じて前記第１のデータ転送速度より大きい第２のデータ転送速度を有する第２のベースバンド信号を生成する、
請求項７０に記載の処理デバイス。
【請求項７２】
共有されるベースバンド・プロセッサ・モジュールを使用して２つの内の１つの帯域幅を介して情報を受信するための通信処理デバイスであって、
前記処理デバイスは：
選択されたクロック周波数に応答する帯域幅およびデータ転送速度を有するＲＦ信号を受理するための入力、および前記ＲＦ信号から変換されたベースバンド信号を供給するための出力を有する無線周波数（ＲＦ）モジュールと、ここで、前記ＲＦモジュールは、前記ＲＦ信号に応じたＲＦモジュールを用いて、前記ベースバンド信号を供給する；
周波数選択信号を受理するための入力、および第１のクロック周波数（ｌ  ｘ  Ｆ１）および第２のクロック周波数（ｋ  ｘ  Ｆ１）を含むグループから選択されたクロック・サンプリング周波数を供給するための出力を有するクロック・モジュールと、ここで、ｋ＞ｌである、ここにおいて、前記第１のクロック周波数が選択された場合に、前記ＲＦ信号は、無線アクセス・ポイントを含む通信のためのものであり、前記第２のクロック周波数が選択された場合に、前記ＲＦ信号は、無線ピア・デバイスとの通信のためのものでる；
前記ベースバンド信号を受理するための入力、および選択されたクロック周波数を受理するための入力を有するベースバンド・プロセッサ・モジュールと、なお、前記ベースバンド・プロセッサ・モジュールは、前記選択されたクロック周波数に従って、前記ベースバンド信号を処理し、前記処理されたベースバンド信号からデジタル情報を供給する、ここにおいて、前記第１のクロック周波数が選択された場合に、前記デジタル情報は、無線アクセス・ポイントと互換性をもつ第１のフォーマットであり、前記第２のクロック周波数が選択された場合に、前記デジタル情報は、無線ピア・デバイスと互換性をもつ第２のフォーマットである；
を含む。
【請求項７３】
前記ベースバンド・プロセッサ・モジュールは、前記第１のクロック周波数を受理することに応じて第１のデータ転送速度を有する第１のベースバンド信号、および前記第２のクロック周波数を受理することに応じて、前記第１のデータ転送速度より大きい、第２のデータ転送速度を有する第２のベースバンド信号を処理する、
請求項７２に記載の処理デバイス。
【発明の詳細な説明】
【技術分野】
【０００１】
本発明は、一般に無線通信技術に関し、特に、多重の帯域幅で通信を可能にする共通のベースバンド・プロセッサを使用するためのシステムおよび方法に関する。
【背景技術】
【０００２】
周波数スペクトルは、多くの通信システムが急増するとともに不足のものとして増加している。従って、抑制のない周波数帯域を使用する圧力が増加している。同時に、異なる通信プロトコルを使用して、異なる周波数帯域で動作するデバイスを供給する通信デバイス製品に対するプレッシャーがある。新たな関心である通信プロトコルは、ＩＥＥＥ８０２．１１ｇ、８０２．１１ａ、ＩＥＥＥ８０２．１１ｎおよび超広帯域無線回線（ＵＷＢ）に従うものである。ＵＷＢプロトコルは、Ｅｃｍａ−３６８の高速超広帯域ＰＨＹおよびＭＡＣ標準に記述される。
【０００３】
一般的に、連邦通信委員会（ＦＣＣ）は、５００メガヘルツ（ＭＨｚ）の帯域幅または帯域幅の中心周波数の２０％のうちの小さい方よりも大きい帯域幅を使用するシステムとしてＵＷＢを定義する。ＦＣＣは、帯域幅を決定し、中心周波数を定義するために−１０ｄＢの放射点を使用する。ＵＷＢ技術は、大きいあるいは小さいデータ転送速度のパーソナル・エリア・ネットワーク（ＰＡＮ）に適用可能であり得る。広い帯域幅の利点は、他の通信システムとスペクトルを共有している間、システムが短距離にわたって大きいデータ転送速度で搬送できることである。この理由で、ＦＣＣは、３．１ギガヘルツ（ＧＨｚ）と１０．６ＧＨｚの間の帯域でＵＷＢの抑制のない使用を認可した。
【０００４】
ＵＷＢは、パルス型システムとして生成することができる。ここで、送信されたパルス各々は、全ＵＷＢ周波数帯域幅を占める。狭周波数帯域副搬送波の集合は、少なくとも５００ＭＨｚの周波数帯域幅を生成するために使用される。例えば、直交周波数分割多重（ＯＦＤＭ）システムが使用され得る。ＯＦＤＭは、複数の並列なより小さいデータ転送速度ストリームを通じて送信されるデジタル情報を分割する。並列なデータ・ストリームの各々は、例えば、４位相偏移変調（ＱＰＳＫ）のような技術を用いて特別の副搬送波で調整され、比較的小さいデータ転送速度で送信される。副搬送波周波数は、直交として参照される、隣接したチャネル間の混信（crosstalk）を最小限にするために選択される。比較的長いシンボル継続時間は、異なる時刻で到着する信号によって引き起こされる低下である、マルチパスの効果を最小限にすることに役立つ。
【０００５】
しばしばＷｉＦｉとして参照される８０２．１１は、同じプロトコルを使用するが異なる変調技術を使用する１つのグループの標準を記述する。この記述の際、ワーキンググループのドラフト２．０は、８０２．１１ｎの開発をガイドしている。８０２．１１ｎは、２００から５４０メガビット／秒の間の典型的なデータ転送速度で、全米情報基盤（Ｕ−ＮＩＩ）帯域（５．２ＧＨｚ）、または２．４あるいは５．７ＧＨｚおのおのの中心周波数での産業科学的医療用（ＩＳＭ）帯域で動作する。多重アンテナ・システムを付加することによって以前の８０２．１１標準上での８０２．１１ｎ構造は、多重入力多重出力（ＭＩＭＯ）として参照される。各アンテナは、並列なチャネルを独立して処理するための個別の送信器および受信器と一体になっている。ＭＩＭＯは、全体的なシステム周波数帯域幅または送信器電力を増加させずに、処理能力の増加を許容する。
【０００６】
２．４ＧＨｚの北アメリカ・チャネライゼーション・スキームを使用する場合、８０２．１１ｎは、２．４ＧＨｚスペクトルを、中心周波数が５メガヘルツ（ＭＨｚ）離れる少しずれて配置されたチャネルである、１１個のオーバーラッピング（overlapping）に分割する。２０ＭＨＺのチャネルは、０．３１２５ＭＨｚの副搬送波間隔で５６個の副搬送波に分割され、或いは１１２個の副搬送波を備えた４０ＭＨｚとなる。注意：いくつかの副搬送波は、パイロット副搬送波として使用される。前述のＵＷＢシステムのように、８０２．１１ｎは、副搬送波を送信するためにＯＦＤＭを使用する。
【０００７】
これは、通信デバイスが同じベースバンド・プロセッサ・デバイスを使用し、異なるプロトコルに従って動作するように構成できる場合、有利だろう。例えば、通信デバイスが共有されるベースバンド・プロセッサを使用する、ＵＷＢおよび８０２．１１標準の両方に従って動作するように構成できる場合、有利だろう。
【発明の概要】
【０００８】
本発明は、共有されるベースバンド・プロセッサを使用して、異なる通信プロトコルに従って、２つの異なる帯域幅を備えた２つのモードで動作することができるシステムおよび方法について記述する。例えば、ＵＷＢ波形は、無線ローカル・エリア・ネットワーク（ＷＬＡＮ）８０２．１１ｎのベースバンド・プロセッサを使用して生成され得る。ベースバンドおよびメディア・アクセス制御（ＭＡＣ）部は、大部分同じままであり得る。
【０００９】
従って、方法は、共有されるベースバンド・プロセッサを使用して２つの内の１つの帯域幅を介して情報を送信するために提供される。方法は、クロック・サンプリング周波数を選択する。例えば、第１のクロック周波数（ｌ  ｘ  Ｆ１）、あるいは第２のクロック周波数（ｋ  ｘ  Ｆ１）が選択される。なお、ｋ＞ｌである。ベースバンド信号は、選択されたクロック・サンプリング周波数を使用して生成される。選択されたクロック・サンプリング周波数にかかわらず、生成された全てのベースバンド信号は、同数の副搬送波周波数を持つことができる。ベースバンド信号は、選択されたクロック周波数に応答するデータ転送速度を有する無線周波数（ＲＦ）信号に変換され、送信される。
【００１０】
より明示的に、第１のベースバンド信号は、第１のクロック周波数の選択に応じて第１のデータ転送速度を有して生成される。第２のベースバンド信号は、第２のクロック周波数の選択に応じて、第１のデータ転送速度より大きい第２のデータ転送速度を有して生成されることができる。その後、約１３．５から１３５メガビット／秒（Ｍｂｐｓ）の範囲内のデータ転送速度で第１のＲＦ信号が第１のベースバンド信号に応じて生成される。例えば、第１のＲＦ信号は、４０ＭＨｚチャネルを使用する実施の８０２．１１ｎのモードに関連付けられ得る。別の態様において、第１のＲＦ信号データ転送速度は、８０２．１１ｎモードの２０ＭＨｚチャネルに対応して、６．５から６５Ｍｂｐｓの範囲であり得る。約５３．３から４８０Ｍｂｐｓの範囲内のデータ転送速度を有する第２のＲＦ信号は、ＵＷＢ動作に対応する、第２のベースバンド信号に応じて生成されることができる。しかしながら、他の態様において、第２のＲＦ信号は、ＵＷＢモードの１ＧＨｚまでのデータ転送速度で動作することができる。
【００１１】
更に、方法は、共有されるベースバンド・プロセッサを使用して、２つの内の１つの帯域幅を介して情報を受信するために供給される。方法は、選択されたクロック周波数に応答するデータ転送速度を有するＲＦ信号を受理し、ＲＦ信号をベースバンド信号に変換する。クロック・サンプリング周波数が選択される。例えば、第１のクロック周波数（ｌ  ｘ  Ｆ１）が選択される、あるいは第２のクロック周波数（ｋ  ｘ  Ｆ１）が選択される。なお、ｋ＞ｌである。ベースバンド信号は、選択されたクロック・サンプリング周波数を使用して処理され、デジタル情報が生成される。より明示的に、第１のデータ転送速度を有する第１のベースバンド信号は、第１のクロック周波数の選択に応じて処理される。あるいは、第１のデータ転送速度より大きい第２のデータ転送速度を有する、第２のベースバンド信号は、第２のクロック周波数の選択に応じて処理される。
【００１２】
前述の発明の他に関連したバリエーションと同様に、共有されたベースバンド・プロセッサを使用して多重ベースバンドの通信のための前述の方法、送受信器システムの追加の詳細は、以下に述べられる。
【図面の簡単な説明】
【００１３】
【図１】共有されるベースバンド・プロセッサを使用して２つの内の１つの帯域幅を介して情報を送信するためのシステムを描写する概略ブロック図。
【図２】より詳細に図１のベースバンド・プロセッサを描写する概略ブロック図。
【図３】図１に示されたシステムの変形例を描写する概略ブロック図。
【図４】共有されるベースバンド・プロセッサを使用して２つの内１つの帯域幅を介して情報を受信するためのシステムを描写する概略ブロック図。
【図５】より詳細に図４のベースバンド・プロセッサを描写する概略ブロック図。
【図６】図１に示されたシステムの変形例を描写する概略ブロック図。
【図７】ハイ・レベルの抽象概念でＷＬＡＮとＷＰＡＮ層の統合を描写する図面。
【図８】ＷＬＡＮとＷＰＡＮのトランシーバを描くブロック図。
【図９】単一のアンテナを使用してインプリメントされた図８のシステムの代案の態様を描写するブロック図。
【図１０】共有されるベースバンド・プロセッサを使用して２つの内１つの帯域幅を介して情報を送信するための方法を説明するフローチャート図。
【図１１】共有されるベースバンド・プロセッサを使用して２つの内１つの帯域幅を介して情報を受信するための方法を説明するフローチャート図。
【発明を実施するための形態】
【００１４】
現在、様々な実施形態は、図面を参照して記述される。以下の記述において、説明の目的のために、多くの特定の詳細は、複数の態様の完全な理解を提供するために述べられる。しかしながら、いつかの実施形態がこれらの特定の詳細なしに実施できることが明白である。他の例において、既知の構造およびデバイスは、これらの実施形態を記述することを容易にするためにブロック図の形式で示される。
【００１５】
本願明細書で使用されるように、用語「コンポーネント」、「モジュール」、「システム」、およびこれらに類似するものは、実行中のハードウェア、ファームウェア、ハードウェアとソフトウェアの組み合わせ、ソフトウェア、またはソフトウェアのいずれかである、コンピュータ関連のエンティティを参照するために意図される。例えば、コンポーネントは、プロセッサで実行中のプロセス、プロセッサ、オブジェクト、プログラムとして実行可能なファイル、実行のスレッド、プログラム、および／または、コンピュータであることに限定されない。実例として、計算デバイスで実行中のアプリケーションおよび計算デバイスの両方ともがコンポーネントになりえる。１つ以上のコンポーネントは、実行中のプロセスおよび／またはスレッド内に存在でき、１つのコンポーネントは、１台以上のコンピュータに配置される、および／または２台以上のコンピュータ間に配置できる。更に、これらのコンポーネントは、様々なデータ構造が格納された様々なコンピュータ読取り可能なメディアから実行することができる。コンポーネントは、１つ以上のデータ・パケットを有する信号に従うようなローカルおよび／またはリモートプロセス経由で通信できる（例えば、あるコンポーネントからのデータをローカル・システム、分散型システム内で、および／または信号を経由して他のシステムとインターネットのようなネットワークを介して、他のコンポーネントと交換する）。
【００１６】
様々な実施形態は、多くのコンポーネント、モジュールおよびこれらに類似するものを含むシステムの点から示されるだろう。様々なシステムが、追加のコンポーネント、モジュールなどを含み得る、および／または図に関して議論される、コンポーネント、モジュールなどのすべてを含んでいるとは限らないことが理解され、認識されるべきである。これらのアプローチの組み合わせも使用され得る。
【００１７】
ここに記述されている様々な例示的な論理ブロック、モジュールおよび回路は、メイン・プロセッサ、デジタル・シグナル・プロセッサー（ＤＳＰ）、特定用途向け集積回路（ＡＳＩＣ）、フィールドプログラマブル・ゲート・アレー（ＦＰＧＡ）または他のプログラム可能なゲート・アレー、独立したゲートまたはトランジスタ論理回路、独立したハードウェア・コンポーネントあるいはここに記述された機能を実行するために設計されたこれらの任意の組み合わせでインプリメントされる、または実行され得る。メイン・プロセッサは、マイクロプロセッサかもしれないが代案において、プロセッサは、任意の従来のプロセッサ、コントローラ、マイクロコントローラまたはステート・マシンかもしれない。更に、プロセッサは、ＤＳＰとマイクロプロセッサの組み合わせ、複数のマイクロプロセッサ、ＤＳＰコアと結合した１つ以上のマイクロプロセッサまたは、他の任意の構造などのコンピューティングデバイスの組み合わせとしてインプリメントされ得る。
【００１８】
ここに示された実施形態に関して記述された方法またはアルゴリズムは、ハードウェア、プロセッサによって実行されるソフトウェア・モジュール、あるいは２つの組み合わせで直接的に具体化されることができる。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブル・ディスク、ＣＤ−ＲＯＭあるいはこの技術における既知の記憶メディアの他の形式に存在し得る。記憶メディアは、プロセッサが記憶メディアから情報を読むことおよび記憶メディアに情報を書き込むことができるようにプロセッサとカップルし得る。代案において、記憶メディアは、プロセッサに不可欠かもしれない。プロセッサと記憶メディアは、ＡＳＩＣに存在してもよい。ＡＳＩＣは、ノードまたは他のところに存在してもよい。代案において、プロセッサおよび記憶メディアは、アクセスネットワークのノード、または他のところの独立したコンポーネントとして存在してもよい。
【００１９】
図１は、共有されるベースバンド・プロセッサを使用して、２つの内の１つの帯域幅を介して情報を送信するためのシステム１０２を描写する概略ブロック図である。このシステム１０２は、通信デバイス１００に埋め込まれており、周波数選択信号を受理するための通信線１０６上の入力、およびクロック・サンプリング周波数を供給するための通信線１０８上の出力を有する、クロックまたはクロック手段１０４を含む。
【００２０】
供給された選択クロック周波数は、第１のクロック周波数（ｌ  ｘ  Ｆ１）および第２のクロック周波数（k  ｘ  Ｆ１）を含む。なお、ｋ＞ｌである。１つの態様において、第１のクロック・サンプリング周波数（ｌ  ｘ  Ｆ１）は、１あるいは２のいずれかとしてｌを定義し、Ｆ１が約２０ＭＨｚまたは約４０ＭＨｚのいずれかであると定義する。その時、第２の周波数は、第１の周波数のｋ倍である。すなわち、第１のクロック周波数は、２０あるいは４０ＭＨｚのいずれか一方である。これらの周波数は、８０２．１１ａ／ｇおよび８０２．１１ｎ通信の実施をサポートするだろう。さらに、ｋは、第２のクロック・サンプリング周波数がＵＷＢ通信の動作をサポートするように選択されている。
【００２１】
ベースバンド・プロセッサ、ベースバンド・プロセッサ・モジュールまたはベースバンド・プロセッサ手段１１０は、デジタル情報を受理するための通信線１１２上の入力および選択クロック・サンプリング周波数を受理するための通信線１０８上の入力を有する。ベースバンド・プロセッサ１１０は、選択されたクロック・サンプリング周波数を使用してデジタル情報を処理し、通信線１１４上でベースバンド信号を供給する。ここで、通信線１１４上のベースバンド信号は、デジタル信号からアナログ・ベースバンド信号に変換されている。無線周波数（ＲＦ）モジュールあるいはＲＦ手段１１６は、通信線１１４上でベースバンド信号を受理するための入力を有している。ＲＦモジュール１１６は、通信線１１８上でＲＦ信号を供給する。なお、通信線１１８上のＲＦ信号は、ベースバンド信号から送信のための信号に変換されたものである。ＲＦ信号は、選択されたクロック周波数に応答するデータ転送速度を有する。一般的に、ＲＦモジュール１１６は、ＲＦ周波数にベースバンド信号をアップコンバート（upconvert）する。
【００２２】
より明示的に、ベースバンド・プロセッサ１１０は、第１のクロック周波数を受理することに応じて第１のデータ転送速度を有する第１のベースバンド信号、あるいは第２のクロック周波数の受理に応じて第２のデータ転送速度を有する第２のベースバンド信号を生成する。１つの態様において、第２のデータ転送速度は、第１のデータ転送速度より大きい。
【００２３】
１つの態様において、ベースバンド・プロセッサ１１０は、第１のクロック周波数を受理することに応じて複数の副搬送波周波数を有する第１のベースバンド信号を生成する。第２のベースバンド信号は、第２のクロック周波数の受理に応じて同数の副搬送波周波数を有し得る。例えば、４０ＭＨｚチャネルの８０２．１１ｎシステムは、ＵＷＢとして同数の副搬送波周波数を生成する。それは、１２８個の副搬送波である。代案として、２つのシステムを対比する際に、異なる数の副搬送波が情報を伝えるために使用され得る。例えば、標準に準拠した２０ＭＨｚチャネルの８０２．１１ｎあるいは８０２．１１ａシステムは、６４個の副搬送波のみ生成する。１つの態様において、６４個の副搬送波の特別モードのＵＷＢ波形が生成され得る。
【００２４】
別の態様において、１２８個の副搬送波の標準に準拠したＵＷＢ波形が生成され得る。
【００２５】
１つの態様において、ＲＦモジュール１１６は、第１のＲＦデバイス１１６ａを含んでいる。それは、第１のベースバンド信号に応答して、約１３．５から１３５メガビット／秒（Ｍｂｐｓ）の範囲、あるいは６．５から６５Ｍｂｐｓの範囲のデータ転送速度を有している通信線１１８ａ上の第１のＲＦ信号を生成するための手段である。第１のＲＦ信号は、アンテナ１２０ａで送信される。１つのアンテナのみが示されているが、アンテナ１２０ａが切り替え可能なアンテナのシステム、あるいはダイバーシティのために配置された複数のアンテナで表わせることを理解すべきである。第２のＲＦデバイス１１６ｂは、第２のベースバンド信号に応じて約５３．３から４８０Ｍｂｐｓの範囲のデータ転送速度を有する第２のＲＦ信号を生成するための手段である。第２のＲＦ信号は、アンテナ１２０ｂで送信される。再度、１つのアンテナのみが示されているが、アンテナ１２０ｂがアンテナのシステムで表わせることを理解すべきである。これらのデータ転送速度は、８０２．１１ｎとＵＷＢ基準とを両立できる。しかしながら、第２のＲＦ信号のデータ転送速度が１ＧＨｚと同程度まで速くなり得ることに注目するべきである。
【００２６】
別の態様において、第１のＲＦデバイス１１６ａは、約２０から４０ＭＨｚの帯域幅を備えた第１のＲＦ信号を生成する。注意：上述の帯域幅は、パイロット・トーンおよび他のオーバヘッド情報を含むことができる。占められた帯域幅は、全帯域幅未満となることができる。占められた帯域幅は、合計積算電力のｘ％の帯域幅としてここに定義される。第２のＲＦデバイス１１６ｂは、約５００メガヘルツ（ＭＨｚ）の帯域幅または帯域幅の中心周波数の約２０％のうちの小さいほうよりも大きい帯域幅で第２のＲＦ信号を生成する。再度、これらの帯域幅は、８０２．１１ｎおよびＵＷＢ通信の実施をサポートするだろう。
【００２７】
別の態様において、第１のＲＦデバイス１１６ａは、第１のベースバンド信号に応じて約０．３１２５ＭＨｚの間隔で副搬送波を有する第１のＲＦ信号を生成する。
【００２８】
第２のＲＦデバイス１１６ｂは、第２のベースバンド信号に応じて約０．３１２５ ｘ ｋ／ｌ ＭＨｚの間隔で副搬送波を有した第２のＲＦ信号を生成する。これらの副搬送波の間隔は、８０２．１１ｎおよびＵＷＢ通信の実施をサポートするだろう。
【００２９】
示されるような１つの態様において、メディア・アクセス制御（ＭＡＣ）モジュールあるいはＭＡＣ手段１２２ａは、独立した基本サービス・セット（ＩＢＳＳ:Independent Basic Service Set）あるいはアド・ホック・ネットワーク・フォーマットのベースバンド・プロセッサ１１０にデジタル情報を供給するための通信線１１２上の出力を有する。第１および第２のＲＦ信号を経由するデバイス１００と通信する通信ネットワーク（図示していない）が両方でピア・ツー・ピア・モードを実施する場合、ベースバンド・プロセッサ１１０が共有されるだけでなく、ＭＡＣモジュール１２２ａも共有することができる。ピア・ツー・ピア通信は、ＵＷＢと共通に関連付けられる特徴である。しかしながら、典型的に、８０２．１１ａ／ｇおよび８０２．１１ｎは、アクセス・ポイント（ＡＰ）の使用を通じて通信を可能にするため、ＭＡＣモジュール１２２は、全ての８０２．１１ネットワークで通信をサポートできない。１つの態様において、ＭＡＣ１２２は、ベースバンド・プロセッサと同じ速度でクロックされ得る。
【００３０】
１つの変形例において、第１のＭＡＣモジュールあるいは第１のＭＡＣ手段１２２ａは、上述されるように、構造基盤ＢＳＳネットワーク・フォーマット（infrastructure BBS network format）内のベースバンド・プロセッサ１１０にデジタル情報を供給するための通信線１１２上の出力を有する。さらに、第２のＭＡＣモジュールあるいは第２のＭＡＣ手段１２２ｂは、ＩＢＳＳネットワーク・フォーマット内のベースバンド・プロセッサ１１０にデジタル情報を供給するための通信線１１２上の出力を有している。その後、ベースバンド・プロセッサ１１０は、構造基盤ＢＳＳ・ＭＡＣフォーマットに応じた第１のベースバンド信号、およびＩＢＳＳ・ＭＡＣフォーマットに応じた第２のベースバンド信号を生成できる。この変形例において、第１の（構造基盤ＢＳＳ）ＭＡＣモジュール１２２ａは、従来の８０２．１１ｎネットワークでのように、ＡＰの使用を伴う通信をサポートするために使用される。しかしながら、第２のＭＡＣモジュール１２２ｂは、ピア・ツー・ピア方法論を使用してネットワークのために使用される。
【００３１】
図２は、より詳細に図１のベースバンド・プロセッサを描写する概略ブロック図である。１つの変形例において、ベースバンド・プロセッサ１１０は、デジタル情報を受理するための通信線１１２上の入力、エンコードされた周波数領域のデジタル情報を供給するための通信線３０２上の出力、および選択クロック周波数を受理するための通信線１０８上の入力を有するエンコーダまたはエンコーダするための手段３００を含む。
【００３２】
インターリーバ（interleaver）またはインターリーブするための手段３０４は、エンコーダされたデジタル情報を受理するための通信線３０２上の入力、周波数領域でのインターリーブされた情報を供給するための通信線３０６上の出力、および選択クロック周波数を受理するための通信線１０８上の入力を有する。インターリーバ３０４は、局所的なデータの破壊またはエラーのバーストに対して保護するための時間ダイバーシティの形式を提供するデバイスである。インターリービング・パラメータは、含まれているコードの誤りを修正する能力と適合するために通常注意深く選択されている。逆高速フーリエ変換（ＩＦＦＴ）ブロックあるいはＩＦＦＴ手段３０８は、周波数領域で情報を受理するための通信線３０６上の入力および選択クロック周波数を受理するための通信線１０８上の入力を有している。ＩＦＦＴブロック３０８は、入力情報上でＩＦＦＴ演算を実行し、デジタル時間領域信号を供給する。デジタル・アナログ変換器（digital-to-analog converter）３１０は、通信線１０８上の選択クロック周波数に応じて、通信線１１４上のアナログ・ベースバンド信号に通信線３１２上のデジタル信号を変換する。全てのデバイスが共通のクロック通信線に接続されているように示されているが、これらのデバイスは、必ずしも同じクロック周波数で処理する必要がないことを理解すべきである。上述されるのと同じ機能を実施することができる代替の回路構成は、当業者によって既知のものである。注意： ＤＡＣは、ベースバンド・プロセッサ、あるいはＲＦモジュール（図示されていない）のどちらか１つと同じ場所に配置できる。
【００３３】
図３は、図１に示されたシステム１０２の変形例を描写する概略ブロック図である。ベースバンド・プロセッサ１１０は、第１のクロック周波数で動作するｎ個の並列ストリーム（ＩＦＦＴ３０８ａから３０８ｎ）から第２のベースバンド信号を供給する。ベースバンド・プロセッサ１１０は、通信線１１４上でマルチプレックス（multiplexed）された第２のベースバンド信号を供給する。注意：ｎは、特定の数に制限されない。ＲＦモジュール１１６は、第２のクロック周波数に応じた転送速度でアンテナ又は放射手段によって放射される単一の（マルチプレックスされた）ＲＦ信号にマルチプレックスされた第２のベースバンド信号を変換する。第２のクロック周波数は、第１のクロック周波数よりｎ倍高い。この変形例は、単一でより高い速度信号（例えば、ＵＷＢ信号）として送信されるために（８０２．１１ｎのＭＩＭＯのために設計されたような）並列なＲＦストリーム回路を許容するべきである。以下で説明されるように、ＵＷＢベースバンド信号は、８０２．１１ｎのために使用される同じベースバンド回路で生成されることができる。好都合に、大きい通信データ転送速度が望まれる場合、ベースバンド・プロセッサ１１０およびＤＡＣ３１０の様々なコンポーネントは、この例で使用される第１のクロック周波数より高いクロック周波数で動作させることのみが必要である。デジタル・アップコンバーター（ＤＵＣ）は、ベースバンド信号をＲＦに変換する。代案として、アナログ・ミキサーは、周波数変換のために使用されることができる。
【００３４】
ベースバンド・プロセッサ１１０は、ｎ個の並列ストリームのｎ個のベースバンド信号を生成することによって第１のベースバンド信号を供給する。示されるような１つの態様において、ベースバンド・プロセッサ１１０は、通信線１１４上でマルチプレックスされたベースバンド信号を供給する。注意：ｎは、任意の特定の数に限定されない。ＤＡＣ３１０は、マルチプレックスされたベースバンド信号をｎ個のベースバンド信号に戻すために変換する、デマルチプレクサ（ＤＥＭＵＸ：demultiplexer）またはデマルチプレックスするための手段３１４と接続される。ＲＦモジュールは、ｎ個のＲＦデバイス（ｎ個のＲＦ手段）を含み、各ＲＦデバイス（１１６ａ１から１１６ａｎ）は、対応するデマルチプレクサの出力に接続された入力を有し、出力は、対応するアンテナ又は放射手段１２０ａ１から１２０ａｎと接続される。図示されない１つの態様において、ｎ個のＲＦストリームは、結線により接続されたメディアによって運ばれる。各放射されたＲＦ信号は、第１のクロック周波数に対応するデータ転送速度を有する。示されていないが代案として、ｎ個の別々のＤＡＣは、対応するＲＦデバイスに各ＩＦＦＴを直接的に接続するために使用できるため、ベースバンド・ストリームは、ＤＡＣに配達するためにマルチプレックスされる必要がない、あるいはアナログ信号に変換した後にデマルチプレックスする必要がない。
【００３５】
１つの４ｘ４ＭＩＭＯの８０２．１１ｎシステムの例において、第２のクロック周波数にオペレーションのＵＷＢおよび８０２．１１ｎのモードを対比して、第２クロック周波数に関連したｋの値は、各データ・パスのための１３２ＭＨｚクロックを作り出すために３．３であり得る。より大きいクロック速度は、より大きいデータ転送速度で動作するＵＷＢモードを可能にするために使用されることができる。１ｘ１の８０２．１１ｎあるいは８０２．１１ａのような非ＭＩＭＯシステムについては、ｋは、１３．２と同じ程度であり得る。
【００３６】
以上の図１から３の説明および記述は、共有されるベースバンド・プロセッサ・モジュールを使用して、２つの内の１つの帯域幅を介して情報を送信するための通信処理デバイスにも適用可能である。
【００３７】
処理デバイス（processing device）は、周波数選択信号を受理するための入力、および第１のクロック周波数（ｌ  ｘ  Ｆ１）又は第２のクロック周波数（ｋ  ｘ  Ｆ１）のいずれかである、クロック・サンプリング周波数を供給するための出力を有するクロック・モジュールを含む。ここでｋ＞ｌである。ベースバンド処理モジュールは、デジタル情報を受理するための入力、および選択されたクロック周波数を受理するための入力を有する。ベースバンド処理モジュールは、選択されたクロック周波数を使用してデジタル情報を処理し、ベースバンド信号を供給する。
【００３８】
無線周波数（ＲＦ）モジュールは、ベースバンド信号を受理するための入力を有する。ＲＦモジュールは、送信されることができる、ベースバンド信号から変換された選択クロック周波数に応答するデータ転送速度を有するＲＦ信号を供給する。１つの態様において、ベースバンド処理モジュールは、第１のクロック周波数を受理することに応じて第１のデータ転送速度を有する第１のベースバンド信号を生成する。代案として、ベースバンド処理モジュールは、第２のクロック周波数の受理に応じて、第１のデータ転送速度より大きい、第２のデータ転送速度を有する第２のベースバンド信号を生成する。
【００３９】
図４は、共有ベースバンド・プロセッサを使用して２つの内の１つの帯域幅を介して情報を受信するためのシステムを描写する概略ブロック図である。システム７０２は、通信デバイス７００に埋め込まれており、結線で接続されたメディア（図示していない）からのＲＦ信号、あるいは（図示のように）放射されたＲＦ信号を受理するための通信線７０６上の入力を有するＲＦモジュールあるいはＲＦ手段７０４を含む。ＲＦ信号は、選択されたクロック周波数に応答するデータ転送速度を有する。ＲＦモジュール７０４は、ＲＦ信号から変換された、通信線７０８上のベースバンド信号を供給するための出力を有する。クロックまたはクロック手段７１０は、周波数選択信号を受理するための通信線７１２上の入力、およびクロック・サンプリング周波数を供給するための通信線７１４上の出力を有する。選択可能な周波数は、第１のクロック周波数（ｌ  ｘ  Ｆ１）および第２のクロック周波数（ｋ  ｘ  Ｆ１）を含む。なお、ｋ＞ｌである。１つの態様において、第１のクロック・サンプリング周波数（ｌ  ｘ  Ｆ１）は、１あるいは２のいずれかとしてｌを定義し、Ｆ１が約２０ＭＨｚまたは約４０ＭＨｚのいずれかであると定義する。すなわち、第１のクロック周波数は、２０あるいは４０ＭＨｚのいずれかである。
【００４０】
第２の周波数は、第１の周波数のｋ倍である。これらの周波数は、８０２．１１ｎ、８０２．１１ａ、８０２．１１ｇおよびＵＷＢ通信の動作をサポートするだろう。
【００４１】
ベースバンド・プロセッサあるいはベースバンド・プロセッサ手段７１６は、ベースバンド信号を受理するための通信線７０８上の入力、および選択クロック・サンプリング周波数を受理するための通信線７１４上の入力を有する。ベースバンド・プロセッサ７１６は、選択されたクロック・サンプリング周波数を使用してベースバンド信号を処理し、通信線７１８上でデジタル情報を供給する。１つの態様において、ベースバンド・プロセッサ７１６は、第１のクロック周波数を選択することに応じて第１のデータ転送速度を有する第１のベースバンド信号を処理する。代案として、ベースバンド・プロセッサ７１６は、第２のクロック周波数の選択に応じて、第１のデータ転送速度より大きな、第２のデータ転送速度を有する第２のベースバンド信号を処理する。
【００４２】
１つの態様において、ベースバンド・プロセッサ７１６は、第１のクロック周波数を受理することに応じて複数の副搬送波を有する通信線７０８上の第１のベースバンド信号を処理する。ベースバンド・プロセッサ７１６は、通信線７０８上の第２のベースバンド信号を処理する。なお、第２のベースバンド信号は、第２のクロック周波数を受理することに応じて同数の副搬送波周波数を有し得る。例えば、４０ＭＨｚチャネルの８０２．１１ｎは、ＵＷＢと同数の副搬送波周波数を生成する。それは、１２８の副搬送波である。しかしながら、上記で注意したように、他の態様において、第１および第２のベースバンド信号によって情報を伝えるために使用されている副搬送波の数に違いがあり得る。
【００４３】
別の態様において、ＲＦモジュール７０４は、約１３．５から１３５Ｍｂｐｓあるいは約６．５から６５Ｍｂｐｓの範囲のデータ転送速度で第１のＲＦ信号を受理するため、および通信線７０８ａ上で第１のベースバンド信号を供給するための手段である、第１のＲＦデバイス７０４ａを含む。第１のＲＦデバイス７０４ａは、通信線７０６ａ上でアンテナ７２０ａと接続される。単一のアンテナのみが示されているが、アンテナ７２０ａが複数のアンテナのシステムを表わすことができることも理解されるべきである。更に、ＲＦモジュール７０４は、約５３．３から４８０Ｍｂｐｓの範囲内の通信速度で第２のＲＦ信号を受理し、通信線７０８上で第２のベースバンド信号を供給するための手段である、第２のＲＦデバイス７０４ｂを含む。第２のＲＦデバイス７０４ｂは、通信線７０６ｂ上でアンテナ７２０ｂと接続される。単一のアンテナのみが示されているが、アンテナ７２０ｂが複数のアンテナのシステムを表わすことができることも理解されるべきである。これらのデータ転送速度は、８０２．１１およびＵＷＢ標準と互換性をもつ。
【００４４】
１つの態様において、第１のＲＦデバイス７０４ａは、約２０ＭＨｚあるいは４０ＭＨｚのいずれかの帯域幅で第１のＲＦ信号を受理し、通信線７０８ａ上で第１のベースバンド信号を供給する。代案として、第２のＲＦデバイス７０４ｂは、約５００メガヘルツ（ＭＨｚ）の帯域幅または帯域幅の中心周波数の約２０％より小さいほうよりも大きい帯域幅の第２のＲＦ信号を受理し、通信線７０８ｂ上で第２のベースバンド信号を供給する。注意：以上で説明した帯域幅は、パイロット・トーンおよび他のオーバヘッド情報を含むことができる。
【００４５】
占有された帯域幅は、全帯域幅より小さくなりうる。これらの帯域幅は、８０２．１１ｎ、８０２．１１ａ、８０２．１１ｇおよびＵＷＢ標準と互換性を有する。
【００４６】
１つの態様において、第１のＲＦデバイス７０４ａは、約０．３１２５ＭＨｚの副搬送波間隔で第１のＲＦ信号を受理し、通信線７０４ａ上で第１のベースバンド信号を供給する。代案として、第２のＲＦデバイス７０４ｂは、約０．３１２５  ｘ   ｋ／ｌ  ＭＨｚの副搬送波間隔で第２のＲＦ信号を受理し、通信線７０８ｂ上で第２のベースバンド信号を供給する。
【００４７】
示されている１つの態様において、メディア・アクセス制御（ＭＡＣ）モジュールあるいはＭＡＣ手段７２２ａは、ＩＢＳＳネットワーク・フォーマットでのベースバンド・プロセッサ７１６からのデジタル情報を受理するための通信線７１８上の入力を有する。第１および第２のＲＦ信号を経由してデバイス７００と通信しているコミュニケーション・ネットワーク（図示していない）がピア・ツー・ピア・モードで両方とも動作している場合、ベースバンド・プロセッサ７１６が共有されるだけでなく、ＭＡＣモジュール７２２ａも共有することができる。ピア・ツー・ピア通信は、ＵＷＢと共通に関連した特徴である。しかしながら、典型的な８０２．１１は、アクセス・ポイント（ＡＰ）の使用を通じて通信を可能にするため、ＭＡＣモジュール７２２ａは、全８０２．１１ネットワークで通信をサポートできない。（示されている）この態様において、ＭＡＣ７２２ａは、ベースバンド・プロセッサとして同じ周波数でクロックされ得る。
【００４８】
代案として、第１のＭＡＣモジュールあるいは第１のＭＡＣ手段７２２ａは、構造基盤ＢＳＳネットワーク・フォーマットでのベースバンド・プロセッサ７１６からのデジタル情報を受理するための通信線７１８上の入力を有する。第２のＭＡＣモジュールあるいは第２のＭＡＣ手段７２２ｂは、ＩＢＳＳ又はアド−ホック・ネットワーク・フォーマット（ad-hoc network format）でのベースバンド・プロセッサ７１６からのデジタル情報を受理するための通信線７１８上の出力を有する。その後、ベースバンド・プロセッサ７１６は、第１のベースバンド信号に応じて構造基盤ＢＳＳ・ＭＡＣフォーマット・デジタル情報を生成する。代案として、ベースバンド・プロセッサ７１６は、第２のベースバンド信号に応じてＩＢＳＳ・ＭＡＣフォーマット・デジタル情報を生成する。この変形例において、第１の（構造基盤ＢＳＳ）ＭＡＣモジュール７２２ａは、従来の８０２．１１ｎおよび８０２．１１ａネットワークでのように、ＡＰの使用を含む通信をサポートするために使用される。しかしながら、第２のＭＡＣモジュール７２２ｂは、ピア・ツー・ピア方法論（methodology）を使用するネットワークのために使用される。
【００４９】
図５は、より詳細に図４のベースバンド・プロセッサを描写する概略ブロック図である。１つの変形例において、ベースバンド・プロセッサ７１６は、デジタル情報を供給する通信線７１８上の出力、周波数領域の符号化されたデジタル情報を受理するための通信線９０２上の入力、および通信線７１４上の選択されたクロック周波数を受理するための入力を有するデコーダあるいはデコードするための手段９００を含む。デインターリーバあるいはデインターリーブするための手段９０４は、符号化されたデジタル情報を供給するための通信線９０２上の出力、周波数領域のインターリーブされた情報を受理するための通信線９０６上の入力、および通信線７１４上の選択されたクロック周波数を受理するための入力を有する。デインターリーバ９０４は、単一の入力信号に複数の並列ストリームを変換するデバイスである。高速フーリエ変換（ＦＦＴ）ブロックあるいはＦＦＴ手段９０８は、周波数領域でのインターリーブされた情報を供給するための通信線９０６上の出力および通信線７１４上の選択されたクロック周波数を受理するための入力を有する。アナログ・デジタル変換器（ＡＤＣ）９１０は通信線７１４上で選択されたクロック周波数に応答する、通信線９１２上のデジタル信号に通信線７０８上のアナログ・ベースバンド信号を変換する。ＦＦＴブロック９０８は、通信線９１２上のデジタル信号でＦＦＴ演算を実行する。
【００５０】
図６は、図４で示されたシステム７０２の変形例を描写する概略ブロック図である。ＲＦモジュール７０４は、アンテナ又は放射手段７２０で単一のマルチプレックスされたＲＦ信号を受理し、通信線７０８上でマルチプレックスされた第２のベースバンド信号にそれを変換する。単一のマルチプレックスされたＲＦ信号は、第２のクロック周波数に対応するデータ転送速度を有する。ここで、この例では、第１のクロック周波数よりｎ倍高い。ベースバンド・プロセッサ７１６は、ｎ個のベースバンド信号を生成する。
【００５１】
ベースバンド・プロセッサ７１６は、第１のクロック周波数でｎ個のベースバンド信号各々を処理し、通信線７１８上でデジタル情報を生成する。注意：ｎは任意の特定の数に限定されるものではない。この変形例は、より大きい速度信号（例えば、ＵＷＢ信号）である信号として受信されるために（例えば、８０２．１１ｎのＭＩＭＯのために設計された）並列のＲＦ送信パス回路を許容することを可能にするだろう。以下で説明されるように、ＵＷＢベースバンド信号は、８０２．１１ｎのために使用された同じベースバンド回路で復元されることができる。有利に、大きい通信データ転送速度が望まれる場合、ベースバンド・プロセッサ７１６の様々な構成およびＡＤＣ９１０は、第１のクロック周波数がこの例で使用されるより高いクロック周波数でのみで動作される必要がある。デジタル・ダウンコンバータ（ＤＤＣ）は、ＲＦ信号を広帯域に変換する。代案として、アナログ・ミキサーは、周波数変換のために使用することができる。
【００５２】
代案として、アンテナあるいは放射手段７２０ａ１から７０２ａｎは、ＲＦモジュール７０４でのＲＦデバイス或いはＲＦ手段（７０４ａ１から７０４ａｎ）に対応する通信線７０６ａ１から７０６ａｎ上で供給される、第１のクロック周波数に応答したデータ転送速度でｎ個のＲＦ信号を受信する。図示されていないが代案として、ｎ個のＲＦ信号は、結線で接続されたメディアを経由して受信される。各ＲＦデバイスは、通信線１１００ａ１から１１００ａｎ上で供給されるベースバンド信号にＲＦ信号を変換する。
【００５３】
この例において、マルチプレクサ（ＭＵＸ：multiplexer）またはマルチプレックスする手段１１０２は、１１００ａ１から１１００ａｎでのｎ個のベースバンド信号を受理し、通信線７０８上のマルチプレックスされたベースバンド信号を供給する。ベースバンド・プロセッサ７１６は、第１のクロック周波数に応じて処理されるｎ個のベースバンド信号（ストリーム）を生成することで入力ベースバンドをデマルチプレックスする。図示されていないが代案として、ｎ個の個別ＡＤＣは、対応するＲＦデバイスに各ＦＦＴを直接的に接続するために使用される。この場合におけるｎ個のベースバンド・ストリームは、ＡＤＣに配達されるためにマルチプレックスされる必要がない、あるいはデジタル信号に変換した後にデマルチプレックスされる必要がない。
【００５４】
更に、図４から図６の記述および説明は、共有されるベースバンド・プロセッサ・モジュールを使用して２つの内１つの帯域幅を介して情報を受信するため通信処理デバイスに適用可能である。プロセッシング・デバイスは、選択されたクロック周波数に応答するデータ転送速度を有するＲＦ信号を受理するための入力、およびＲＦ信号から変換されたベースバンド信号を供給するための出力を有しているＲＦモジュールを含む。クロック・モジュールは、周波数選択信号を受理するための入力、およびクロック・サンプリング周波数を供給するための出力を有する。周波数は、第１のクロック周波数（ｌ  ｘ  Ｆ１）および第２のクロック周波数（ｋ  ｘ  Ｆ１）から選択される。なお、ｋ＞ｌである。
【００５５】
ベースバンド・プロセッサ・モジュールは、ベースバンド信号を受理するための入力、および選択クロック周波数を受理するための入力を有する。ベースバンド・プロセッサ・モジュールは、選択されたクロック周波数を使用してベースバンド信号を処理し、デジタル情報を供給する。１つの態様において、ベースバンド・プロセッサ・モジュールは、第１のクロック周波数を受理することに応じて第１のデータ転送速度を有する第１のベースバンド信号を処理する。代案として、第２のベースバンド信号は、第２のクロック周波数を受理することに応じて第１のデータ転送速度より大きい第２のデータ転送速度を有して処理される。
【００５６】
個別の受信器および送信システムは、以上で記述されているが、多くの通信デバイスが受信および送信回路の両方を含むことを理解すべきである。更に、デバイスが受信と送信部との両方の間のベースバンド・プロセッサを共有できることが理解されるべきである。別個の構成として示しているが、以上で説明されたシステムのいくつかの態様におけるベースバンド・プロセッサ、周波数変換およびＲＦモジュールの増幅部は、システム・オン・チップ（ＳＯＣ）のような単一のデバイスとしてパッケージにされることができる。
【００５７】
機能説明
有利に、以上で記述された発明は、より大きいクロック速度で処理される８０２．１１ｎのベースバンドおよびＭＡＣ回路を使用してＵＷＢ波形を生成する通信デバイスを使用可能にするだろう。慣習的に、８０２．１１ｇおよび８０２．１１ａシステムは、１６．５６ＭＨｚの周波数帯を占める波形を生成するために、２０ＭＨｚでクロックされる。更に、１つのモードにおいて、８０２．１１ｎは、１７．５ＭＨｚを占める波形を生成するために２０ＭＨｚでクロックされる。クライアントおよびアクセス・ポイント（ＡＰ）の設計の両方ともが共通の参照クロック入力で動作するＲＦトランシーバおよびベースバンド／ＭＡＣを組み込む。
【００５８】
ベースバンド／ＭＡＣは、調節タイミング、暗号化、符号化と復号化、およびモデムとホスト・デバイス間のデータの移動による無線ネットワークに対してアクセスを制御するために参照クロックを使用する。ＲＦトランシーバは、ＩＣに埋め込まれる或いは外部コンポーネントとして特定されるかのどちらかである、２．４あるいは５ＧＨｚで無線の電圧発振（ＶＯ）を安定させる高い周波数参照を生成するために参照クロックを使用する。
【表１】
0005570984.tif 000002
【表２】
0005570984.tif 000003
【表３】
0005570984.tif 000004
【表４】
0005570984.tif 000005
【００５９】
８０２．１１ｇ／ａは、ＩＥＥＥが公表した標準であり、８０２．１１ｎは、標準化されている最中である。他方、ＵＷＢは、まだこの記述の時点でドラフトの段階である。以上で注意されるように、本発明は、ＷＬＡＮ（８０２．１１ｎ）およびＷＰＡＮ（ＵＷＢ）の両方の統合された受信器（あるいは発信器）のための波形を生成する。慣習的に、受信器アーキテクチャは、特定の送信モードおよび標準のために開発され最適化される。しかしながら、本発明は、ＷＬＡＮとＷＰＡＮの両方の送信モードがＯＦＤＭに基づくという事実を利用する。
【００６０】
テーブル１および２は、それぞれ８０２．１１ｇ／ａおよび８０２．１１ｎのＷＬＡＮシステムのパラメータのリストである。８０２．１１ｇ／ａは、ＯＦＤＭシステムであり、使用される変調および符号化スキームに依存して６Ｍｂｐｓと５４Ｍｂｐｓとの間のデータ転送速度をサポートするために２０ＭＨｚで動作する。更に、単一入力・単一出力（ＳＩＳＯ）の８０２．１１ｎは、６．５Ｍｂｐｓと６５Ｍｂｐｓとの間のデータ転送速度をサポートするために２０ＭＨｚクロックで動作するＯＦＤＭシステムである。テーブル３は、１８０Ｍｂｐｓと１４４０Ｍｂｐｓとの間のデータ転送速度をサポートするために６００ＭＨｚで８０２．１１ｎのシステムをクロックする場合のパラメータのリストである。テーブル４は、ＵＷＢシステムのパラメータのリストである。
【００６１】
図７は、ハイ・レベルの抽象概念でＷＬＡＮとＷＰＡＮ層の統合を描写する図面である。いくつか相違点もあるが、ＰＨＹおよびＭＡＣ回路を共有することが可能であることは理解される。
【００６２】
図８は、ＷＬＡＮとＷＰＡＮのトランシーバを描くブロック図である。
【００６３】
ＲＦモジュールのデジタル−アナログ変換器（ＤＡＣ）／アナログ・デジタル変換器（ＡＤＣ）は、ベースバンド信号を変換するために動作する。スイッチ（ＳＷ）は、アンテナを共有するためにＲＦデバイスの送信部と受信部を許容する。デバイスは、８０２．１１およびＵＷＢ通信の両方のために、受信モードおよび送信モードの両方に対して共有されるＰＨＹ回路およびＭＡＣ回路を使用することができる。
【００６４】
図９は、単一のアンテナを使用してインプリメントされた図８のシステムの代案の態様を描写するブロック図である。アンテナは、非常に広い帯域の周波数応答を有し、フィルタは、ＵＷＢ通信から８０２．１１の通信を分離する。
【００６５】
図１０は、共有されるベースバンド・プロセッサを使用して２つの内１つの帯域幅を介して情報を送信するための方法を説明するフローチャート図である。この方法は、明瞭さのための番号が付されたステップの進行として描写されるが、番号を付けることは、必ずしもステップの順序を規定するわけではない。これらのステップのいくつかがスキップされる、並列に実行される、進行の厳密な順序を維持することの要求せずに実行される、ことができることを理解すべきである。この方法は、ステップ１８００からスタートする。
【００６６】
ステップ１８０２は、第１のクロック周波数（ｌ  ｘ  Ｆ１）および第２のクロック周波数（ｋ  ｘ  Ｆ１）を含む、クロック・サンプリング周波数を選択する。なお、ｋ＞ｌである。１つの変形例において、ステップ１８０２で第１のクロック周波数であるｌ  ｘ  Ｆ１を選択することを含む。なお、lは、１あるいは２に等しい値であり、Ｆ１は、約２０ＭＨｚあるいは４０ＭＨｚのいずれかである。第２のクロック周波数は、第１のクロック・サンプリング周波数のｋ倍と等しい。ステップ１８０４は、デジタル情報を受理する。ステップ１８０６は、ベースバンド信号を生成する。ステップ１８０８は、選択されたクロック周波数に応答するデータ転送速度を有するＲＦ信号にベースバンド信号を変化する。いくつかの態様において、ステップ１８１０は、ＲＦ信号を送信する。
【００６７】
１つの態様において、ステップ１８０６でベースバンド信号を生成することは、サブステップを含む。ステップ１８０６ａは、第１のクロック周波数を選択することに応じて第１のデータ転送速度を有する第１のベースバンド信号を生成する。ステップ１８０６ｂは、第２のクロック周波数を選択することに応じて、第１のデータ転送速度より大きい、第２のデータ転送速度を有する第２のベースバンド信号を生成する。変形例として、ステップ１８０６ａは、第１のクロック周波数を選択することに応じて複数の副搬送波周波数を有する第１のベースバンド信号を生成する。ステップ１８０６は、第２のクロック周波数に応じて複数の副搬送波周波数（第１のベースバンド信号での副搬送波と同数）を有する第２のベースバンド信号を生成する。
【００６８】
別の態様において、ＲＦ信号にベースバンド信号を変換することは、サブステップを含む。ステップ１８０８ａは、第１のベースバンド信号に応じて、約１３．５から１３５Ｍｂｐｓあるいは約６．５から６５Ｍｂｐｓの範囲内のデータ転送速度で第１のＲＦ信号を生成する。ステップ１８０８ｂは、第２のベースバンド信号に応じて約５３．３から４８０Ｍｂｐｓの範囲内のデータ転送速度でＲＦ信号を生成する。考えられる代案として、ステップ１８０８ａは、約２０あるいは４０ＭＨｚのいずれかの帯域幅で第１のＲＦ信号を生成する。ステップ１８０８ｂは、約５００ＭＨｚの帯域幅または帯域幅の中心周波数の約２０％のうちの小さい方よりも大きい帯域幅で第２のＲＦ信号を生成する。別の変形例において、ステップ１８０８ａは、第１のベースバンド信号に応じて約０．３１２５ＭＨｚの副搬送波間隔で第１のＲＦ信号を生成し、ステップ１８０８ｂは、第２のベースバンド信号に応じて約０．３１２５ｘ ｋ／ｌ  ＭＨｚの副搬送波間隔で第２のＲＦ信号を生成する。
【００６９】
１つの態様において、ステップ１８０６ａの第１のベースバンド信号を生成することは、ステップ１８０４のデジタル情報、すなわち、ＩＢＳＳ（アド−ホック）フォーマットあるいは構造基盤ＢＳＳ・ＭＡＣフォーマットのいずれかを受理することに応じて第１のベースバンド信号を生成することを含む。ステップ１８０６ｂの第２のベースバンド信号を生成することは、ＩＢＳＳ・ＭＡＣフォーマットでデジタル情報を受理することに応じて第２のベースバンド信号を生成することを含む。１つの態様において、ステップ１８０４でデジタル情報を処理することは、サブステップを含む。ステップ１８０４ａは、選択クロック周波数に応じてデジタル情報を符号化する。ステップ１８０４ｂは、選択クロック周波数に応じて、符号化されたデジタル情報をインターリーブする。ステップ１８０４ｃは、選択クロック周波数に応じてインターリーブされたデジタル情報でＩＦＦＴ演算を実行する。ステップ１８０４ｄは、選択クロック周波数に応じてＩＦＦＴ演算の結果をアナログ・ベースバンド信号に変換する。
【００７０】
１つの変形例において、ステップ１８０６でベースバンド信号を生成することは、第１のクロック周波数でｎ個のベースバンド信号を生成することを含む。ステップ１８０８は、第１のクロック周波数よりｎ倍高い、第２のクロック周波数に応答するデータ転送速度を有する単一のマルチプレックスされたＲＦ信号にマルチプレックスされた第２のベースバンド信号を変換する。ステップ１８１０は、単一のアンテナを通じてマルチプレックスされたＲＦ信号を送信する。
【００７１】
第２の変形例において、ステップ１８０６は、第１のクロック周波数でｎ個のベースバンド信号を生成する。ステップ１８０８は、ｎ個のベースバンド信号（第１のベースバンド信号）をｎ個のＲＦ信号に変換する。ここで、各ＲＦ信号は、第１のクロック周波数に応答するデータ転送速度を有する。その後、ステップ１８１０は、ｎ個のアンテナを介してｎ個のＲＦ信号を送信する。
【００７２】
別の態様において、以上で記述され、図１０に示される同じステップは、共有されるベースバンド・プロセッサを使用して２つの内１つの帯域幅を介して情報を送信するための命令をその上に格納している機械可読媒体を記述するためにも使用されることができる。
【００７３】
図１１は、共有されるベースバンド・プロセッサを使用して２つの内１つの帯域幅を介して情報を受信するための方法を説明するフローチャート図である。方法は、ステップ１９００からスタートする。ステップ１９０２では、選択されたクロック周波数に応答するデータ転送速度を有するＲＦ信号を受理する。ＲＦ信号は、放射された信号として、あるいは結線により接続されたメディアを経由して受信できる。ステップ１９０４では、ＲＦ信号をベースバンド信号に変換する。ステップ１９０６では、第１のクロック周波数（ｌ  ｘ  Ｆ１）および第２のクロック周波数（ｋ  ｘ  Ｆ１）を含む、クロック・サンプリング周波数を選択する。ここで、ｋ＞ｌである。１つの態様において、第１のクロック・サンプリング周波数は、ｌ  ｘ  Ｆ１の周波数を有する。ここで、ｌは、１あるいは２であり、Ｆ１は、約２０ＭＨｚまたは約４０ＭＨｚのいずれかである。すなわち、第１のクロック周波数は、２０あるいは４０ＭＨｚのいずれかである。第２のクロックは、第１のクロック・サンプリング周波数のｋ倍と等しい周波数を有している。ステップ１９０８では、選択クロック・サンプリング周波数を使用してベースバンド信号を処理する。ステップ１９１０では、デジタル情報を生成する。
【００７４】
１つの態様において、ステップ１９０８でベースバンド信号を処理することは、サブステップを含む。ステップ１９０８ａでは、第１のクロック周波数を選択することに応じて第１のデータ転送速度を有する第１のベースバンド信号を処理する。ステップ１９０８ｂでは、第２のクロック周波数を選択することに応じて、第１のデータ転送速度より大きい、第２のデータ転送速度を有する第２のベースバンド信号を処理する。変形例において、ステップ１９０８ａでは、第１のクロック周波数を選択することに応じて複数の副搬送波周波数を有する第１のベースバンド信号を処理し、ステップ１９０８ｂでは、第２のクロック周波数を選択することに応じて複数の副搬送波周波数を有する第２のベースバンド信号を処理する。すなわち、第１および第２のベースバンド信号は、同じ数の副搬送波周波数を使用する。
【００７５】
１つの態様において、ステップ１９０２でＲＦ信号を受理することは、サブステップを含む。ステップ１９０２ａでは、約１３．５から１３５Ｍｂｐｓの範囲、あるいは約６．５から６５Ｍｂｐｓの範囲内のデータ転送速度で第１のＲＦ信号を受理する。ステップ１９０２ｂでは、約５３．３から４８０Ｍｂｐｓの範囲内のデータ転送速度で第２のＲＦ信号を受理する。それから、ステップ１９０４でＲＦ信号をベースバンド信号に変換することはサブステップを含む。ステップ１９０４ａでは、第１のＲＦ信号を第１のベースバンド信号に変換し、ステップ１９０４ｂでは、第２のＲＦ信号を第２のベースバンド信号に変換する。
【００７６】
変形例において、ステップ１９０２ａは、約２０あるいは４０ＭＨｚのいずれかの帯域幅で第１のＲＦ信号を受理し、ステップ１９０２ｂは、約５００メガヘルツ（ＭＨｚ）の帯域幅または帯域幅の中心周波数の約２０％のうちの小さいほうより大きい帯域幅で第２のＲＦ信号を生成する。それから、ステップ１９０４ａでは、第１のＲＦ信号を第１のベースバンド信号に変換し、ステップ１９０４ｂでは、第２のＲＦ信号を第２のベースバンド信号に変換する。
【００７７】
別の変形例において、ステップ１９０２ａでは、約０．３１２５ＭＨｚの副搬送波間隔で第１のＲＦ信号を受理し、ステップ１０９２ｂでは、約０．３１２５  ｘ  ｋ／ｌ  ＭＨｚの副搬送波間隔で第２のＲＦ信号を受理する。それから、ステップ１９０４ａでは、第１のＲＦ信号を第１のベースバンド信号に変換し、ステップ１９０４ｂでは、第２のＲＦ信号を第２のベースバンド信号に変換する。
【００７８】
１つの態様において、ステップ１９１０でデジタル情報を生成することは、第１または第２のベースバンド信号が処理されるかどうかにかかわらず、ＩＢＳＳ（アド−ホック）ＭＡＣフォーマットでデジタル情報を生成することを含む。代案として、ステップ１９１０では、第１のベースバンド信号を処理することに応じてインフラストラクチャＢＳＳ・ＭＡＣフォーマットでデジタル情報を生成する。あるいは、ステップ１９１０では、第２のベースバンド信号を処理することに応じてＩＢＳＳフォーマットのデジタル情報を生成する。
【００７９】
別の態様において、ステップ１９１０でデジタル情報を生成することはサブステップを含む。ステップ１９１０ａでは、選択されたクロック周波数に応じてアナログ・ベースバンド信号をデジタル信号に変換する。ステップ１９１０ｂでは、選択されたクロック周波数に応じてデジタル信号でＦＦＴ演算を実行する。ＦＦＴを実行することの次に起こる、ステップ１９１０ｃでは、選択クロック周波数に応じたデジタル情報をデインターリーブし、ステップ１９１０ｄでは、選択クロック周波数に応じてデジタル情報を復号する。
【００８０】
１つの変形例において、ステップ１９０２は、第１のクロック周波数よりｎ倍高い、第２のクロック周波数に対応するデータ転送速度を有する単一のマルチプレックスされたＲＦ信号を受理する。ステップ１９０４は、マルチプレックスされたＲＦ信号をマルチプレックスされた第２のベースバンド信号に変換する。ステップ１９０８でベースバンド信号を処理することは：マルチプレックスされた第２のベースバンド信号からｎ個のベースバンド信号を生成すること；および第１のクロック周波数でｎ個のベースバンド信号各々を各処理すること、を含む。
【００８１】
第２の変形例において、ステップ１９０２は、第１のクロック周波数に応答するデータ転送速度を各々有する、ｎ個のＲＦ信号を受理する。ステップ１９０４は、ｎ個のＲＦ信号をｎ個のベースバンド信号に変換する。それから、ステップ１９０８の第１のベースバンド信号を処理することは、第１のクロック周波数でｎ個のベースバンド信号の各々を処理することを含む。
【００８２】
別の態様において、以上で記述され、図１１に示されるのと同じステップも共有されるベースバンド・プロセッサを使用して２つの内の１つの帯域幅を介して情報を受信することのための命令をその上に格納している機械可読媒体を記述するために使用されることができる。
【００８３】
様々なシステムおよび方法は、共有されるベースバンド・プロセッサを使用して異なるＲＦ帯域幅を介して通信の送受信すること（transceiving）を記述するために示されている。特定のプロトコルの詳細、回路の詳細および方法論は、発明を説明するために例として与えられたものである。しかしながら、本発明は、単にこれらの例に限定されない。発明の他の変形および実施形態は、当業者が思い浮べることもできるだろう。
以下に、本願出願の当初の特許請求の範囲に記載された発明を付記する。
［Ｃ１］  共有されるベースバンド・プロセッサを使用して２つの内の１つのベースバンドを介して情報を送信するための方法であって、前記方法は：
第１のクロック周波数（ｌ  ｘ  Ｆ１）および第２のクロック周波数（ｋ  ｘ  Ｆ１）を含むグループからクロック・サンプリング周波数を選択することと、なお、ｋ＞ｌである；
ベースバンド信号を生成することと；
前記選択されたクロック周波数に応答するデータ転送速度を有する無線周波数（ＲＦ）信号に前記ベースバンド信号を変換することと；
を含む。
［Ｃ２］  前記ベースバンド信号を生成することは：
前記第１のクロック周波数を選択することに応じて第１のデータ転送速度を有する第１のベースバンド信号の生成することと；
前記第２のクロック周波数を選択することに応じて前記第１のデータ転送速度より大きい第２のデータ転送速度を有する第２のベースバンド信号を生成することと；
を含む、Ｃ１に記載の方法。
［Ｃ３］  前記ベースバンド信号をＲＦ信号に変換することは：
前記第１のベースバンド信号に応じて、約１３．５から１３５メガビット／秒（Ｍｂｐｓ）および約６．５から６５Ｍｂｐｓをからなるグループから選択された範囲内のデータ転送速度で第１のＲＦ信号を生成することと；
第２のベースバンド信号に応じて、約５３．３から４８０Ｍｂｐｓの範囲内のデータ転送速度で第２のＲＦ信号を生成することと；
を含む、Ｃ２に記載の方法。
［Ｃ４］  前記ベースバンド信号をＲＦ信号に変換することは：
約２０メガヘルツ（ＭＨｚ）および約４０ＭＨｚからなるグループから選択された帯域幅で第１のＲＦ信号を生成することと；
５００ＭＨｚ以上の帯域幅または中心周波数の２０％を越える帯域幅で第２のＲＦ信号を生成することと；
を含む、Ｃ２に記載の方法。
［Ｃ５］  前記ベースバンド信号をＲＦ信号に変換することは：
前記第１のベースバンド信号に応じて、約０．３１２５メガヘルツ（ＭＨｚ）の副搬送波間隔で第１のＲＦ信号を生成することと；
前記第２のベースバンド信号に応じて、約０．３１２５  ｘ  ｋ／ｌ  ＭＨｚの副搬送波間隔で第２のＲＦ信号を生成することと；
を含む、Ｃ２に記載の方法。
［Ｃ６］  前記第１のベースバンド信号を生成することは、独立した基本サービス・セット（ＩＢＢＳ）および基盤構造ＢＳＳフォーマットからなるグループから選択されたメディア・アクセス・コントロール（ＭＡＣ）のデジタル情報を受理することに応じて前記第１のベースバンド信号を生成することを含み； 
前記第２のベースバンド信号を生成することは、前記ＩＢＳＳフォーマットのデジタル情報を受理することに応じて前記第２のベースバンド信号を生成することを含む；
Ｃ２に記載の方法。
［Ｃ７］  前記ベースバンド信号を生成することは：
デジタル情報を受理することと；
選択されたクロック周波数で前記デジタル情報を符号化することと；
選択されたクロック周波数で前記符号化されたデジタル情報をインターリーブすることと；
選択されたクロック周波数で前記インターリーブされたデジタル情報上で逆の高速フーリエ変換（ＩＦＦＴ）演算を実行することと；
選択されたクロック周波数で前記ＩＦＦＴ演算の結果をアナログ・ベースバンド信号に変換することと；
を含む、Ｃ１に記載の方法。
［Ｃ８］  前記クロック周波数を選択することは、ｌ  ｘ  Ｆ１の周波数を有する前記第１のクロックを含む、なお、ｌは、１および２からなるグループから選択され、Ｆ１は、約２０ＭＨｚおよび４０ＭＨｚからなるグループから選択され、前記第２のクロック周波数は、前記第１のクロック周波数のｋ倍と等しい周波数を有する、
Ｃ１に記載の方法。
［Ｃ９］  前記ベースバンド信号を生成することは、前記第１のクロック周波数でｎ個のベースバンド信号として第１のベースバンド信号を生成することを含み；
前記ベースバンド信号をＲＦ信号に変換することは、ｎ個のアンテナを通じて放射されるｎ個のＲＦ信号にｎ個のベースバンド信号を変換することを含み；
前記ベースバンド信号を生成することは、前記第１のクロック周波数でｎ個のベースバンド信号として第２のベースバンド信号を生成することを含み；
前記ベースバンド信号を前記ＲＦ信号に変換することは、前記第１のクロック周波数よりｎ倍高い、前記第２のクロック周波数に応答するデータ転送速度で単一のアンテナを通じて放射される単一のマルチプレックスされたＲＦ信号にマルチプレックスされた第２のベースバンド信号を変換することを含む；
Ｃ１に記載の方法。
［Ｃ１０］  前記ベースバンド信号を生成することは：
前記第１のクロック周波数を選択することに応じて複数の副搬送波周波数を有する第１のベースバンド信号の生成することと；
前記第２のクロック周波数に応じて複数の副搬送波周波数を有する第２のベースバンド信号を生成することと；
を含むＣ１に記載の方法。
［Ｃ１１］  共有されるベースバンド・プロセッサを使用して２つの内の１つの帯域幅を介して情報を送信するためのシステムであって、前記システムは：
周波数選択信号を受理するための入力および第１のクロック周波数（ｌ  ｘ  Ｆ１）および第２のクロック周波数（ｋ  ｘ  Ｆ１）を含むグループから選択されるクロック・サンプリング周波数を供給するための出力を有するクロックと、なお、ｋ＞ｌである；
デジタル情報を受理するための入力および選択されたクロック周波数を受理するための入力を有するベースバンド・プロセッサと、なお、前記ベースバンド・プロセサは、前記デジタル情報を処理し、ベースバンド信号を供給する； 
前記ベースバンド信号を受理するための入力を有する無線周波数（ＲＦ）モジュールと、なお、前記ＲＦモジュールは、前記ベースバンド信号から変換されたＲＦ信号を供給する；
を含む。
［Ｃ１２］  前記ベースバンド・プロセッサは、前記第１のクロック周波数を受理することに応じて第１のデータ転送速度を有する第１のベースバンド信号、および前記第２のクロック周波数を受理することに応じて、第１のデータ転送速度より大きい、第２のデータ転送速度を有する第２のベースバンド信号を生成する、
Ｃ１１に記載のシステム。
［Ｃ１３］  前記ＲＦモジュールは：
前記第１のベースバンド信号に応じて、約１３．５から１３５メガビット／秒（Ｍｂｐｓ）および約６．５から６５Ｍｂｐｓをからなるグループから選択されたデータ転送速度の範囲内で第１のＲＦ信号を生成するための第１のＲＦデバイスと；
前記第２のベースバンド信号に応じて約５３．３から４８０Ｍｂｐｓの範囲内のデータ転送速度で第２のＲＦ信号を生成するための第２のＲＦデバイスと；
を含む、Ｃ１２に記載のシステム。
［Ｃ１４］  前記ＲＦモジュールは：
約２０メガヘルツ（ＭＨｚ）および約４０ＭＨｚからなるグループから選択された帯域幅で第１のＲＦ信号を生成するための第１のＲＦデバイスと；
５００ＭＨｚ以上の帯域幅または中心周波数の２０％を越える帯域幅で第２のＲＦ信号を生成するための第２のＲＦデバイスと；
を含む、Ｃ１２に記載のシステム。
［Ｃ１５］  前記ＲＦモジュールは：
前記第１のベースバンド信号に応じて約０．３１２５ＭＨｚの副搬送波間隔で第１のＲＦ信号を生成するための第１のＲＦデバイスと；
前記第２のベースバンド信号に応じて約０．３１２５  ｘ  ｋ／ｌ  ＭＨｚの副搬送波間隔で第２のＲＦ信号を生成するための第２のＲＦデバイスと；
を含む、Ｃ１２に記載のシステム。
［Ｃ１６］  前記ベースバンド・プロセッサは、独立した基本サービス・セット（ＩＢＢＳ）および基盤構造ＢＳＳフォーマットからなるグループから選択されたメディア・アクセス・コントロール（ＭＡＣ）のデジタル情報を受理することに応じて前記第１のベースバンド信号を生成し、前記ＩＢＳＳ・ＭＡＣフォーマットのデジタル情報を受理することに応じて第２のベースバンド信号を生成することを含む、
Ｃ１２に記載のシステム。
［Ｃ１７］  前記ベースバンド・プロセッサは：
デジタル情報を受理するための入力、前記周波数領域の符号化されたデジタル情報供給するための出力、および選択されたクロック周波数を受理するための入力を有するエンコーダと；
前記符号化されたデジタル情報を受理するための入力、前記ＩＦＦＴに前記周波数領域のインターリーブされた情報を供給するための出力、および選択されたクロック周波数を受理するための入力を有するインターリーバと；
前記周波数領域の情報を受理するための入力、および選択されたクロック周波数を受理するための入力を有する逆高速フーリエ変換（ＩＦＦＴ）ブロックと、なお、前記ＩＦＦＴブロックは、前記入力情報上でＩＦＦＴ演算を実行し、出力で時間領域信号を供給する；
を含み、 
そして、前記システムは：
前記ＩＦＦＴブロックからの前記信号を受理するための入力、アナログ・ベースバンド信号を供給するための出力、および選択されたクロック周波数を受理するための入力を有するデジタル・アナログ変換器（ＤＡＣ）と、
を更に含む、Ｃ１１に記載のシステム。
［Ｃ１８］  前記クロックは、ｌ  ｘ  Ｆ１の第１のクロック周波数を選択的に供給する、なお、ｌは、１および２からなるグループから選択され、Ｆ１は、約２０ＭＨｚおよび４０ＭＨｚからなるグループから選択され、第２のクロック周波数は、前記第１のクロック周波数のｋ倍と等しい、
Ｃ１１に記載のシステム。
［Ｃ１９］  前記ベースバンド・プロセッサは、前記第１のクロック周波数でｎ個のベースバンド信号として第１のベースバンド信号を生成し；
前記ＲＦモジュールは、前記ｎ個のベースバンド信号をｎ個のＲＦ信号に変換するためのｎ個のＲＦデバイスを含む、なお、各ＲＦ信号は、第１のクロック周波数に応答するデータ転送速度を有し；
そして、前記システムは、：
ｎ個のＲＦ信号を放射するためにｎ個のＲＦデバイスの出力に接続されたｎ個アンテナを更に具備する、
Ｃ１１に記載のシステム。
［Ｃ２０］  前記ベースバンド信号は、前記第１のクロック周波数で生成されるｎ個のベースバンド・プロセッサとして第２のベースバンド信号を供給し；
前記ＲＦモジュールは、前記第１のクロック周波数よりｎ倍高い、前記第２のクロック周波数に応答するデータ転送速度を有する単一のマルチプレックスされたＲＦ信号にマルチプレックスされた第２のベースバンド信号を変換し；
そして、前記システムは：
前記単一のマルチプレックスされたＲＦ信号を放射するためにＲＦモジュールに接続される単一のアンテナをさらに含む、
Ｃ１９に記載のシステム。
［Ｃ２１］  前記ベースバンド・プロセッサは、第１のクロック周波数を受理することに応じて複数の副搬送波周波数を有する第１のベースバンド信号、および第２のクロック周波数の受理を受理することに応じて複数の副搬送波周波数を有する第２のベースバンド信号を生成する、
Ｃ１１に記載のシステム。
［Ｃ２２］  共有されるベースバンド・プロセッサを使用して２つの内の１つの帯域幅を介して情報を受信するための方法であって、
前記方法は：
選択されたクロック周波数に応答するデータ転送速度を有する無線周波数（ＲＦ）信号の受理することと；
前記ＲＦ信号をベースバンド信号に変換することと；
第１のクロック周波数（ｌ  ｘ  Ｆ１）および第２のクロック周波数（ｋ  ｘ  Ｆ１）を含むグループからクロック・サンプリング周波数を選ぶことと、なお、ｋ＞ｌである；  前記ベースバンド信号を処理することと；
デジタル情報を生成することと；
を含む。
［Ｃ２３］  前記ベースバンド信号を処理することは：
前記第１のクロック周波数を選択することに応じて第１のデータ転送速度を有する第１のベースバンド信号を処理することと；
前記第２のクロック周波数を選択することに応じて、前記第１のデータ転送速度より大きい、第２のデータ転送速度を有する第２のベースバンド信号を処理することと；
を含むＣ２２に記載の方法。
［Ｃ２４］  前記ＲＦ信号を受理することは：
約１３．５から１３５メガビット／秒（Ｍｂｐｓ）および約６．５から６５Ｍｂｐｓからなるグループから選択される範囲内のデータ転送速度で前記第１のＲＦ信号を受理することと；
約５３．３から４８０Ｍｂｐｓの範囲内のデータ転送速度で第２のＲＦ信号を受理することと；
を含む、
なお、前記ＲＦ信号を前記ベースバンド信号に変換することは：
前記第１のＲＦ信号を前記第１のベースバンド信号に変換することと；
前記第２のＲＦ信号を前記第２のベースバンド信号に変換することと；
を含むＣ２３に記載の方法。
［Ｃ２５］  前記ＲＦ信号を受理することは：
約２０メガヘルツ（ＭＨｚ）および約４０ＭＨｚからなるグループから選択される帯域幅で第１のＲＦ信号を受理することと；
５００ＭＨｚ以上の帯域幅または中心周波数の２０％を越える帯域幅で第２のＲＦ信号を受理することと；
を含む、
なお、前記ＲＦ信号を前記ベースバンド信号に変換することは：
前記第１のＲＦ信号を前記第１のベースバンド信号に変換することと；
前記第２のＲＦ信号を前記第２のベースバンド信号に変換することと；
を含むＣ２３に記載の方法。
［Ｃ２６］  前記ＲＦ信号を受理することは：
約０．３１２５メガヘルツ（ＭＨｚ）の副搬送波間隔で第１のＲＦ信号の受理することと；
約０．３１２５  ｘ  ｋ／ｌ  ＭＨｚの副搬送波間隔で第２のＲＦ信号を受理することと；
を含む、
なお、前記ＲＦ信号を前記ベースバンド信号に変換することは：
前記第１のＲＦ信号を前記第１のベースバンド信号に変換することと；
前記第２のＲＦ信号を前記第２のベースバンド信号に変換することと；
を含むＣ２３に記載の方法。
［Ｃ２７］  デジタル情報を生成することは：
前記第１のベースバンド信号を処理することに応じて、構造基盤基本サービス・セット（ＢＳＳ）フォーマットおよび独立したＢＳＳ（ＩＢＳＳ）フォーマットをからなるグループから選択されたメディア・アクセス制御（ＭＡＣ）フォーマットのデジタル情報を生成することと；
前記第２のベースバンド信号を処理することに応じてＩＢＳＳフォーマットのデジタル情報を生成することと；
を含むＣ２３に記載の方法。
［Ｃ２８］  前記ベースバンド信号を処理することは：
選択されたクロック周波数でアナログ・ベースバンド信号をデジタル信号に変換することと；
選択されたクロック周波数での前記デジタル信号上で高速フーリエ変換（ＦＦＴ）を実行することと；
選択されたクロック周波数で変換されたデジタル情報をデインターリーブすることと；  選択されたクロック周波数で前記デインターリーブされたデジタル情報を復号することと；
を含むＣ２２に記載の方法。
［Ｃ２９］  前記クロック周波数を選択することは、
ｌ  ｘ  Ｆ１の周波数を有する、なお、ｌは、１および２からなるグループから選択され、Ｆ１は、約２０ＭＨｚおよび約４０ＭＨｚをからなるグループから選択され、前記第２のクロックは、前記第１のクロック周波数のｋ倍と等しい周波数を有する、
Ｃ２２に記載の方法。
［Ｃ３０］  前記ＲＦ信号は、前記第１のクロック周波数よりｎ倍高い、前記第２のクロック周波数に応答するデータ転送速度を有する単一のマルチプレックスされたＲＦ信号を受理することを含み；
前記ＲＦ信号を前記ベースバンド信号に変換することは、前記マルチプレックスされたＲＦ信号をマルチプレックスされた第２のベースバンド信号に変換することを含む；
なお、前記ベースバンド信号を処理することは：
前記マルチプレックスされた第２のベースバンド信号からｎ個のベースバンド信号を生成することと；
第１のクロック周波数でｎ個のベースバンド信号のおのおのを処理することと；
を含むＣ２２に記載の方法。
［Ｃ３１］  前記ＲＦ信号を受理することは、ｎ個のＲＦ信号を受理することを含む、なお、各ＲＦ信号は、前記第１のクロック周波数に応答するデータ転送速度を有し；
前記ＲＦ信号を前記ベースバンド信号に変換することは、前記ｎ個のＲＦ信号をｎ個のベースバンド信号の第１のベースバンド信号に変換することを含み；
前記ベースバンド信号を処理することは、前記第１のクロック周波数で前記ｎ個のベースバンド信号の各々を処理することを含む；
Ｃ３０に記載の方法。
［Ｃ３２］  前記ベースバンド信号を処理することは、
前記第１のクロック周波数を選択することに応じて複数の副搬送波周波数を有する第１のベースバンド信号を処理することと；
前記第２のクロック周波数を選択することに応じて複数の副搬送波周波数を有する第２のベースバンド信号を処理することと；
を含むＣ２２に記載の方法。
［Ｃ３３］  共有されるベースバンド・プロセッサを使用して２つの内の１つの帯域幅を介して情報を受信するためのシステムであって、
前記システムは：
選択されたクロック周波数に応答するデータ転送速度を有するＲＦ信号を受理するための入力、および前記ＲＦ信号から変換された、ベースバンド信号を供給するための出力を有する無線周波数（ＲＦ）モジュールと；
周波数選択信号を受理するための入力、および第１のクロック周波数（ｌ  ｘ  Ｆ１）および第２のクロック周波数（ｋ  ｘ  Ｆ１）を含むグループから選択されたクロック・サンプリング周波数を供給するためのアウトプットを有するクロックと、なお、ｋ＞ｌである；
前記ベースバンド信号を受理するための入力、および選択されたクロック周波数を受理するための入力を有するベースバンド・プロセッサと、なお、前記ベースバンド・プロセッサは、前記ベースバンド信号を処理し、デジタル情報を供給する；
を含む。
［Ｃ３４］  前記ベースバンド・プロセッサは、前記第１のクロック周波数を選択することに応じて第１のデータ転送速度を有する第１のベースバンド信号、および前記第２の周波数を選択することに応じて、前記第１のデータ転送速度より大きい、第２のデータ転送速度を有する第２のベースバンド信号を処理すること、
を含むＣ３３に記載のシステム。
［Ｃ３５］  前記ＲＦモジュールは：
約１３．５から１３５メガビット／秒（Ｍｂｐｓ）および約６．５から６５Ｍｂｐｓからなるグループから選択されたデータ転送速度の範囲で第１のＲＦ信号を受理し、前記第１のベースバンド信号を供給するための第１のＲＦデバイスと；
約５３．３から４８０Ｍｂｐｓの範囲内のデータ転送速度で第２のＲＦ信号を受理し、前記第２のベースバンド信号を供給するための第２のＲＦデバイスと；
を含むＣ３４に記載の方法。
［Ｃ３６］  前記ＲＦモジュールは：
約２０メガヘルツ（ＭＨｚ）および約４０ＭＨｚからなるグループから選択された帯域幅で第１のベースバンド信号を受理し、前記第１のベースバンド信号を供給するための第１のＲＦデバイスと；
５００ＭＨｚ以上の帯域幅または中心周波数の２０％を越える帯域幅で第２のＲＦ信号を受理し、前記第２のベースバンド信号を供給するための第２のＲＦデバイスと；
を含むＣ３４に記載の方法。
［Ｃ３７］  前記ＲＦモジュールは：
約０．３１２５ＭＨｚの副搬送波間隔で第１のＲＦ信号を受理し、前記第１のベースバンド信号を供給するための第１のＲＦデバイスと；
約０．３１２５  ｘ  ｋ／ｌ  ＭＨｚの副搬送波間隔で第２のＲＦ信号を受理し、前記第２のベースバンド信号を供給するための第２のＲＦデバイスと；
を含むＣ３４に記載のシステム。
［Ｃ３８］  前記ベースバンド・プロセッサは、前記第１のベースバンド信号を処理することに応じて、独立した基本サービス・セット（ＩＢＳＳ）フォーマットおよび構造基盤ＢＳＳフォーマットからなるグループから選択されたメディア・アクセス制御（ＭＡＣ）のデジタル情報、および前記第２のベースバンド信号を処理することに応じてＩＢＳＳフォーマットのデジタル情報を生成する、
Ｃ３４に記載の方法。
［Ｃ３９］  前記システムは：
アナログ・ベースバンド信号を受理するための入力、デジタル信号を供給するための出力、および選択されたクロック周波数を受理するための出力を有するアナログ・デジタル変換器（ＡＤＣ）と；
を更に含む、
なお、前記ベースバンド・プロセッサは：
前記デジタル信号を受理するための入力、前記周波数領域のインターリーブされた情報を供給するための出力、および選択されたクロック周波数を受理するための入力を有する高速フーリエ変換（ＦＦＴ）ブロックと；
ＦＦＴブロックから前記インターリーブされた情報を受理するための入力、符号化されたデジタル情報を供給するための出力、および選択されたクロック周波数を受理するための入力を有するデインターリーバと；
前記符号化されたデジタル情報を受理するための入力、復号化されたデジタル情報を供給する出力、および選択されたクロック周波数を受理するための入力を有する復号器と；  を含むＣ３３に記載のシステム。
［Ｃ４０］  前記クロックは、ｌ  ｘ  Ｆ１の第１のクロック周波数を選択的に供給すること、なお、ｌは、１、２からなるグループから選択され、Ｆ１は、約２０ＭＨｚおよび約４０ＭＨｚをからなるグループから選択され、前記第２のクロック周波数は、第１の周波数のｋ倍と等しい、Ｃ３３に記載の方法。
［Ｃ４１］  前記システムは：
前記第１のクロック周波数よりｎ倍高い、前記第２のクロック周波数に応答するデータ転送速度を有する単一のマルチプレックスされたＲＦ信号を供給するための入力を前記ＲＦモジュールに接続されるアンテナと；
を更に含む、
なお、前記ＲＦモジュールは、前記マルチプレックスされたＲＦ信号をマルチプレックスされた第２のベースバンド信号に変換する；
前記ベースバンド・プロセッサは、前記マルチプレックスされた第２のベースバンド信号を受理し、ｎ個のベースバンド信号を生成し、前記第１のクロック周波数でｎ個のベースバンド信号の各々を処理する；
Ｃ３３に記載のシステム。
［Ｃ４２］  前記システムは、：
ｎ個のアンテナと、なお、各アンテナは、前記第１のクロック周波数に応答するデータ転送速度を有する受信されたＲＦ信号を供給する；
を更に含む、
ここで、前記ＲＦモジュールは、ｎ個のＲＦデバイスを含み、なお、各ＲＦデバイスは、対応するアンテナに接続される入力と、ベースバンド信号を供給するための出力を有する； 
前記ベースバンド・プロセッサは、前記ｎ個のベースバンド信号として第１のベースバンド信号を受理し、前記第１のクロック周波数で前記ｎ個のベースバンド信号の各々を処理する、
Ｃ４１に記載のシステム。
［Ｃ４３］  前記ベースバンド・プロセッサは、前記第１のクロック周波数を選択することに応じて複数の副搬送波周波数を有する第１のベースバンド信号、および前記第２のクロック周波数を選択すること応じて前記複数の副搬送波周波数を有する２のベースバンド信号を処理する、
Ｃ３３に記載のシステム。
［Ｃ４４］  共有されるベースバンド・プロセッサを使用して２つの内の１つの帯域幅を介して情報を送信するための情報をその上に格納されている機械可読媒体であって、
前記命令は：
第１のクロック周波数（ｌ  ｘ  Ｆ１）および第２のクロック周波数（ｋ  ｘ  Ｆ１）を含むグループからクロック・サンプリング周波数選択することと、なお、ｋ＞ｌである；
ベースバンド信号を生成することと；
選択されたクロック周波数に応答するデータ転送速度を有する無線周波数（ＲＦ）信号に前記ベースバンド信号を変換することと；
を含む。
［Ｃ４５］  前記ベースバンド信号を生成する命令は：
第１のクロック周波数を選択することに応じて第１のデータ転送速度を有する第１のベースバンド信号の生成することと；
前記第２のクロック周波数を選択することに応じて、前記第１のデータ転送速度より大きい第２のデータ転送速度を有する第２のベースバンド信号を生成することと；
を含むＣ４４に記載の機械可読媒体。
［Ｃ４６］  共有されるベースバンド・プロセッサを使用して２つの内の１つの帯域幅を介して情報を受信するための命令をその上に格納している機械可読媒体であって、
前記命令は：
選択されたクロック周波数に応答するデータ転送速度を有する無線周波数（ＲＦ）信号を受理することと；
前記ＲＦ信号をベースバンド信号に変換することと；
第１のクロック周波数（ｌ  ｘ  Ｆ１）および第２のクロック周波数（ｋ  ｘ  Ｆ１）を含むグループからクロック・サンプリング周波数を選ぶことと、なお、ｋ＞ｌである；  前記ベースバンド信号を処理することと；
デジタル情報を生成することと；
を含む。
［Ｃ４７］  前記ベースバンド信号を処理する命令は：
前記第１のクロック周波数を選択することに応じて第１のデータ転送速度を有している第１のベースバンド信号を処理することと；
前記第２のクロック周波数を選択することに応じて、前記第１のデータ転送速度より大きい、第２のデータ転送速度を有する第２のベースバンド信号を処理することと；
を含むＣ４６に記載の機械可読媒体。
［Ｃ４８］  共有されるベースバンド・プロセッサを使用して２つの内の１つの帯域幅を介して情報を送信するための通信デバイスであって、
前記通信デバイスは：
周波数選択信号を受理するための入力、および第１のクロック周波数（ｌ  ｘ  Ｆ１）および第２のクロック周波数（ｋ  ｘ  Ｆ１）を含むグループから選択されるクロック・サンプリング周波数を供給するための出力を有するクロッキングするための手段と、なお、ｋ＞ｌである；
デジタル情報を受理するための入力、および選択されたクロック周波数を受理するための入力を有するベースバンド処理するための手段と、なお、前記ベースバンド処理するための手段は、前記デジタル情報を受理し、ベースバンド信号を供給する；
前記ベースバンド信号を受理するための入力を有する無線周波数（ＲＦ）処理するための手段と、なお、前記ＲＦモジュールは、前記ベースバンド信号から変換された、選択されたクロック周波数に応答するデータ転送速度を有するＲＦ信号を供給する；
を含む通信デバイス。
［Ｃ４９］  前記ベースバンド処理手段は、前記第１のクロック周波数を受理することに応じて第１のデータ転送速度を有する第１のベースバンド信号、および前記第２のクロック周波数を受理することに応じて、前記第１のデータ転送速度より大きい、第２のデータ転送速度を有する第２のベースバンド信号を生成する、
Ｃ４８に記載のデバイス。
［Ｃ５０］  前記ＲＦ手段は：
前記第１のベースバンド信号に応じて、約１３．５から１３５メガビット／秒（Ｍｂｐｓ）、および約６．５から６５Ｍｂｐｓからなるグループからから選択される範囲内のデータ転送速度で第１のＲＦ信号を生成する手段と；
前記第２のベースバンド信号に応じて約５３．３から４８０Ｍｂｐｓの範囲内のデータ転送速度でＲＦ信号を生成するための手段と；
を含むＣ４９に記載のデバイス。
［Ｃ５１］  前記ＲＦ手段は：
約２０メガヘルツ（ＭＨｚ）および約４０ＭＨｚからなるグループから選択された帯域幅で第１のＲＦ信号を生成するための手段と；
５００ＭＨｚ以上の帯域幅または中心周波数の２０％を越える帯域幅で第２のＲＦ信号を生成するための手段と；
を含むＣ４９に記載のデバイス。
［Ｃ５２］  前記ＲＦ手段は：
前記第１のベースバンド信号に応じて約０．３１２５ＭＨｚの副搬送波間隔で第１のＲＦ信号を生成するための手段と；
前記第２のベースバンド信号に応じて約０．３１２５  ｘ  ｋ／ｌ  ＭＨｚの副搬送波間隔で第２のＲＦ信号を生成するための手段と；
を含むＣ４９に記載のデバイス。
［Ｃ５３］  前記ベースバンド処理手段は、独立した基本サービス・セット（ＩＢＳＳ）フォーマットおよび構造基盤ＢＳＳ・ＭＡＣフォーマットをからなるグループから選択されたメディア・アクセス制御（ＭＡＣ）フォーマットのデジタル情報を受理することに応じて前記第１のベースバンドを生成し、前記ＩＢＳＳフォーマットのデジタル情報を受理することに応じて前記第２のベースバンド信号を生成する、
Ｃ４９に記載のデバイス。
［Ｃ５４］  前記ベースバンド処理手段は：
デジタル情報を受理するための入力、および選択されたクロック周波数で前記周波数領域の符号化されたデジタル情報を供給するための出力を有する符号化するための手段と；  前記符号化されたデジタル情報を受理するための入力、および選択されたクロック周波数で前記周波数領域のインターリーブされた情報を供給するための出力を有するインターリーブするための手段と；
前記周波数領域の情報を受理するための入力を有する逆フーリエ変換（ＩＦＦＴ）を処理するための手段と、なお、前記ＩＦＦＴ手段は、前記入力情報でＩＦＦＴ演算を実行し、選択されたクロック周波数での主力で時間領域信号を供給する；
を含み、
そして、前記デバイスは：
選択されたクロック周波数でアナログ・ベースバンド信号に前記時間領域信号を変換するためのデジタル／アナログ変換手段と、
を更に含むＣ４９に記載のデバイス。
［Ｃ５５］  前記クロック手段は、ｌ  ｘ  Ｆ１である第１のクロックを選択的に供給する、なお、ｌは、１と２からなるグループから選択され、Ｆ１は、約２０ＭＨｚおよび約４０ＭＨｚをからなるグループから選択され、第２のクロック周波数は、前記第１のクロック周波数のｋ倍と等しい、
Ｃ４９に記載のデバイス。
［Ｃ５６］  前記ベースバンド処理手段は、前記第１のクロック周波数でｎ個のベースバンド信号を生成することによって第２のベースバンド信号を供給し；
前記ＲＦ手段は、前記第１のクロック周波数よりｎ倍高い、前記第２のクロック周波数に応答するデータ転送速度を有する単一のマルチプレックスされたＲＦ信号にマルチプレックスされた第２のベースバンド信号を変換し；
そして、前記デバイスは：
前記マルチプレックスされたＲＦ信号を放射するためのＲＦモジュール出力に接続された単一の放射手段、
を更に含むＣ４９に記載の方法。
［Ｃ５７］  前記ベースバンド処理手段は、前記第１のクロック周波数でｎ個のベースバンド信号を生成することによって第１のベースバンド信号を供給し；
前記ＲＦ手段は、ｎ個のＲＦ手段を含み、各ＲＦ手段は、対応するベースバンド信号を受理するための入力、および前記第１のクロック周波数に応答するＲＦ信号を供給するための出力を有し；
そして、前記システムは：
ｎ個の放射手段を更に含む、なお、各放射手段は、ｎ個のＲＦ信号を放射するための対応する前記ＲＦ手段の出力と接続される手段と、
を更に含むＣ５６に記載のデバイス。
［Ｃ５８］  前記ベースバンド処理手段は、前記第１のクロック周波数を受理することに応じて複数の副搬送波周波数を有する第１のベースバンド信号を生成し、前記第２のクロック周波数を受理することに応じて複数の副搬送波周波数を有する第２のベースバンド信号を生成する、
Ｃ４９に記載のデバイス。
［Ｃ５９］  共有されるベースバンド・プロセッサを使用して２つの内の１つの帯域幅を介して情報を受信するための通信デバイスであって、
前記デバイスは：
選択されたクロック・サンプリング周波数に応答するデータ転送速度を有する無線周波数（ＲＦ）信号を受理するための入力、および前記ＲＦ信号から変換されたベースバンド信号を供給するための出力を有するＲＦを処理するための手段と；
周波数選択信号を受理するための入力、および第１のクロック周波数（ｌ  ｘ  Ｆ１）および第２のクロック周波数（ｋ  ｘ  Ｆ１）を含むグループから選択されたクロック・サンプリング周波数を供給するための出力を有するクロッキング手段と、なお、ｋ＞ｌである；
前記ベースバンド信号を受理するための入力、選択されたクロック周波数を受理するための入力を有するベースバンド処理手段と、なお、前記ベースバンド処理手段は、前記ベースバンド信号を処理し、デジタル情報を供給する；
を含むデバイス。
［Ｃ６０］  前記ベースバンド・プロセッサは、前記第１のクロック周波数を選択することに応じて第１のデータ転送速度を有する第１のベースバンド信号、および前記第２のクロック周波数を選択すること応じて、前記第１のデータ速度より大きい第２のデータ転送速度を有する第２のベースバンド信号を処理する、
Ｃ５９に記載のデバイス。
［Ｃ６１］  前記ＲＦ手段は：
約１３．５から１３５メガビット／秒（Ｍｂｐｓ）および約６．５から６５Ｍｂｐｓからなるグループから選択された範囲のデータ転送速度で第１のＲＦ信号を受理し、前記第１のベースバンド信号を供給するための手段と；
約５３．３から４８０Ｍｂｐｓの範囲内のデータ転送速度で第２のＲＦ信号を受理し、前記第２のベースバンド信号を供給するための手段と；
を含むＣ６０に記載のデバイス。
［Ｃ６２］  前記ＲＦ手段は：
約２０メガヘルツ（ＭＨｚ）および約４０ＭＨｚからなるグループから選択された帯域幅で第１のＲＦ信号を受理し、前記第１のベースバンド信号を供給するための手段と；  ５００ＭＨｚ以上の帯域幅または中心周波数の２０％を越える帯域幅で第２のＲＦ信号を受理し、前記第２のベースバンド信号を供給するための手段と；
を含む、Ｃ６０に記載のデバイス。
［Ｃ６３］  前記ＲＦ手段は：
約０．３１２５ＭＨｚの副搬送波間隔で第１のＲＦ信号を受理し、前記第１のベースバンド信号を供給するための手段と；
約０．３１２５  ｘ  ｋ／ｌ  ＭＨｚの副搬送波間隔を備えた第２のＲＦ信号を受理し、前記第２のベースバンド信号を供給するための手段と；
を含むＣ６０に記載のデバイス。
［Ｃ６４］  前記ベースバンド処理手段は、第１のベースバンド信号を処理することに応じて、独立した基本サービス・セット（ＩＢＳＳ）および構造基盤ＢＳＳフォーマットからなるグループから選択されたメディア・アクセス制御（ＭＡＣ）フォーマットでデジタル情報を生成し、前記第２のベースバンド信号に応じてＩＢＳＳフォーマットでデジタル情報を生成する、
Ｃ５９に記載のデバイス。
［Ｃ６５］  前記デバイスは：
アナログ・ベースバンド信号を受理し、選択されたクロック周波数でデジタル信号を出力するためのアナログ・デジタル手段と；
を更に含む、
なお、前記ベースバンド・プロセッサ手段は：
前記デジタル信号を受理するための入力、および選択されたクロック周波数で前記周波数領域のインターリーブされた情報を供給するための出力を有する高速フーリエ変換（ＦＦＴ）処理するための手段と；
前記ＦＦＴブロックから前記インターリーブされた情報を受理するための入力、および選択されたクロック周波数で符号化されたデジタル情報を供給するための出力を有するデインターリーブするための手段と；
前記符号化されたデジタル情報を受理するための入力、および選択されたクロック周波数で符号化されたデジタル情報を供給するための出力を有する復号化手段供給するべき符号化するための手段と；
を含むＣ５９に記載のデバイス。
［Ｃ６６］前記クロック手段は、ｌ  ｘ  Ｆ１である第１のクロック周波数を選択的に供給する、なお、ｌは、１と２からなるグループから選択され、Ｆ１は、約２０ＭＨｚおよび約４０ＭＨｚからなるグループから選択され、第２のクロック周波数は、前記第１のクロック周波数のｋ倍に等しい、
Ｃ５９に記載のデバイス。
［Ｃ６７］  前記デバイスは：
前記第１のクロック周波数よりｎ倍高い、前記第２のクロック周波数に応答するデータ転送速度を有する受信され、マルチプレックスされた単一のＲＦ信号を供給するために前記ＲＦ手段の入力と接続される放射手段と；
を更に含む、
なお、前記ＲＦ手段は、前記マルチプレックスされたＲＦ信号をマルチプレックスされた第２のベースバンド信号に変換し；
前記ベースバンド処理手段は、前記マルチプレックスされた第２のベースバンド信号を受理し、ｎ個のベースバンド信号を生成し、前記第１の周波数で前記ｎ個のベースバンド信号の各々を処理する；
Ｃ５９に記載のデバイス。
［Ｃ６８］  前記デバイスは：
ｎ個の放射手段をさらに含む、なお、前記ｎ個の放射手段各々は、前記第１のクロック周波数に応答するデータ転送速度を有する受信したＲＦ信号を供給する；
なお、前記ＲＦ手段は、ｎ個のＲＦ手段を含み、各ＲＦ手段は、対応する放射手段と接続された入力、およびベースバンド信号を供給するための出力を有し；
前記ベースバンド処理手段は、ｎ個のベースバンド信号として第１のベースバンド信号を受理し、前記第１のクロック周波数で前記ｎ個のベースバンド信号各々を処理する；  Ｃ６７に記載のデバイス。
［Ｃ６９］  前記ベースバンド・プロセッサ手段は、前記第１のクロック周波数を選択することに応じて複数の副搬送波周波数を有する第１のベースバンド信号を処理し、前記第２のクロック周波数を選択することに応じて前記複数の副搬送波周波数を有する第２のベースバンド信号を処理する、
Ｃ５９に記載のデバイス。
［Ｃ７０］  共有されるベースバンド・プロセッサ・モジュールを使用して２つの内の１つの帯域幅を介して情報を送信するための通信処理デバイスであって、
前記処理デバイスは：
周波数選択信号を受理するための入力、および第１のクロック周波数（ｌ  ｘ  Ｆ１）と第２のクロック周波数（ｋ  ｘ  Ｆ１）を含むグループから選択されるクロック・サンプリング周波数を供給するための出力を有するクロック・モジュールと、なお、ｋ＞ｌである；
選択されたクロック周波数を受理する入力、選択されたクロック周波数を受理するための入力を有するベースバンド・プロセッサ・モジュールと、なお、前記ベースバンド・プロセッサ・モジュールは、前記デジタル情報を処理し、ベースバンド信号を供給する；  前記ベースバンド信号を受理するための入力を有する無線周波数（ＲＦ）モジュールと、なお、前記ＲＦモジュールは、前記ベースバンド信号から変換された、選択されたクロック周波数に応答するデータ転送速度を有するＲＦ信号を供給する；
を含む処理デバイス。
［Ｃ７１］  前記ベースバンド・プロセッサ・モジュールは、前記第１のクロック周波数を受理することに応じて第１のデータ転送速度をゆする第１のベースバンド信号を生成し、前記第２のクロック周波数を受理することに応じて前記第１のデータ転送速度より大きい第２のデータ転送速度を有するベースバンド信号を生成する、
Ｃ７０に記載の処理デバイス。
［Ｃ７２］  共有されるベースバンド・プロセッサ・モジュールを使用して２つの内の１つの帯域幅を介して情報を受信するための通信処理デバイスであって、
前記通信処理デバイスは：
選択されたクロック周波数に応答するデータ転送速度を有するＲＦ信号を受理するための入力、および前記ＲＦ信号から変換されたベースバンド信号を供給するための出力を有する無線周波数（ＲＦ）モジュールと；
周波数選択信号を受理するための入力、および第１のクロック周波数（ｌ  ｘ  Ｆ１）および第２のクロック周波数（ｋ  ｘ  Ｆ１）を含むグループから選択されたクロック・サンプリング周波数を供給するための出力を有するクロック・モジュールと、なお、ｋ＞ｌである；
前記ベースバンド信号を受理するための入力、および選択されたクロック周波数を受理するための入力を有するベースバンド・プロセッサ・モジュールと、なお、前記ベースバンド・プロセッサ・モジュール・プロセッサは、前記ベースバンド信号を処理し、デジタル情報を供給する；
を含む。
［Ｃ７３］  前記ベースバンド・プロセッサ・モジュールは、前記第１のクロック周波数を受理することに応じて第１のデータ転送速度を有する第１のベースバンド信号、および前記第２のクロック周波数を受理することに応じて、前記第１のデータ転送速度より大きい、第２のデータ転送速度を有する第２のベースバンド信号を処理する、
Ｃ７２に記載の処理デバイス。
【図１】
0005570984.tif 000006
【図２】
0005570984.tif 000007
【図３】
0005570984.tif 000008
【図４】
0005570984.tif 000009
【図５】
0005570984.tif 000010
【図６】
0005570984.tif 000011
【図７】
0005570984.tif 000012
【図８】
0005570984.tif 000013
【図９】
0005570984.tif 000014
【図１０】
0005570984.tif 000015
【図１１】
0005570984.tif 000016